(57)【要約】【課題】画像表示装置において、座標検出のための発光を、コントラストの低下を抑制しつつ発生させる。【解決手段】画像表示装置は、走査電極とデータ電極とが交差した領域に形成された放電セルが複数配列されて画像表示領域を構成する画像表示部を備え、書込み放電を発生した放電セルに同期検出放電を発生する同期検出期間を有する同期検出サブフィールドを発生して画像表示部を駆動する。そして、互いに隣接する複数の走査電極を１つの走査電極群とし、１つの走査電極群と互いに隣接する複数のデータ電極とが交差する領域に含まれる所定の色を発光する複数の放電セルは、同期検出サブフィールドが発生する毎に、順に同期検出放電を発生する。【選択図】図１７
2014203061.tif 000002
【特許請求の範囲】
【請求項１】
行方向に延長された走査電極と列方向に延長されたデータ電極とが交差した領域に形成された放電セルが複数配列されて画像表示領域を構成する画像表示部と、
書込み期間と、前記書込み期間に書込み放電を発生した放電セルに同期検出放電を発生する同期検出期間とを有する同期検出サブフィールドを発生して前記画像表示部を駆動する駆動回路とを備え、
互いに隣接する複数の前記走査電極を１つの走査電極群とし、
１つの前記走査電極群と互いに隣接する複数の前記データ電極とが交差する領域に含まれる所定の色を発光する複数の放電セルは、前記同期検出サブフィールドが発生する毎に順に前記同期検出放電を発生する
ことを特徴とする画像表示装置。
【請求項２】
互いに異なる色を発光する複数の前記放電セルで１つの画素を構成し、
列方向に配列された複数の前記画素を１つの画素列とするとともに互いに隣接する複数の前記画素列を１つの画素列群とし、
前記駆動回路は、
１つの前記走査電極群と１つの前記画素列群とが交差する領域に形成されたＮ×Ｍ個の前記画素において、所定の色を発光する前記放電セルのそれぞれに、前記同期検出サブフィールドが発生する毎に順に前記同期検出放電を発生する
ことを特徴とする請求項１に記載の画像表示装置。
【請求項３】
前記走査電極群は、互いに隣接するＮ本の前記走査電極からなり、
前記画素列群は、互いに隣接するＭ本の前記画素列からなり、
時間的に連続するＮ×Ｍ個のフィールドを１つのフィールド群とし、
前記駆動回路は、
前記同期検出サブフィールドを１フィールドに１回発生し、
前記Ｎ×Ｍ個の画素の前記所定の色を発光する放電セルのそれぞれに、１フィールド毎に順に前記同期検出放電を発生し、前記所定の色を発光する１つの放電セルに前記同期検出放電が発生する回数を１つの前記フィールド群で１回とする
ことを特徴とする請求項２に記載の画像表示装置。
【請求項４】
前記所定の色を青とする
ことを特徴とする請求項２または３に記載の画像表示装置。
【請求項５】
行方向に延長された複数の走査電極と列方向に延長された複数のデータ電極とが交差した領域に複数の放電セルが形成され、互いに異なる色を発光する複数の前記放電セルで構成された画素が複数配列されて画像表示領域を構成し、
書込み期間と、前記書込み期間に書込み放電を発生した放電セルに同期検出放電を発生する同期検出期間とを有する同期検出サブフィールドを発生して前記画像表示部を駆動する画像表示装置において、
互いに隣接するＮ本の前記走査電極を１つの走査電極群とし、
列方向に配列された複数の前記画素を１つの画素列とするとともに互いに隣接するＭ本の前記画素列を１つの画素列群とし、
１つの前記走査電極群と１つの前記画素列群とが交差する領域に形成されたＮ×Ｍ個の前記画素において、前記同期検出サブフィールドが発生する毎に所定の色を発光する放電セルが順に前記同期検出放電を発生する
ことを特徴とする画像表示装置の駆動方法。
【請求項６】
行方向に延長された複数の走査電極と列方向に延長された複数のデータ電極とが交差した領域に複数の放電セルが形成され、互いに異なる色を発光する複数の前記放電セルで構成された画素が複数配列されて画像表示領域を構成し、書込み期間と、前記書込み期間に書込み放電を発生した放電セルに同期検出放電を発生する同期検出期間とを有する同期検出サブフィールドを発生して前記画像表示部を駆動する画像表示装置と、
受光素子を有する電子ペンとを備え、
前記画像表示装置は、互いに隣接するＮ本の前記走査電極を１つの走査電極群とし、列方向に配列された複数の前記画素を１つの画素列とするとともに互いに隣接するＭ本の前記画素列を１つの画素列群とし、１つの前記走査電極群と１つの前記画素列群とが交差する領域に形成されたＮ×Ｍ個の前記画素において、前記同期検出サブフィールドが発生する毎に所定の色を発光する放電セルが順に前記同期検出放電を発生し、
前記電子ペンは、前記同期検出サブフィールドにおいて前記画像表示装置の画像表示領域に発生する発光を受光して位置座標を算出するための基準信号を発生する
ことを特徴とする画像表示システム。
【発明の詳細な説明】
【技術分野】
【０００１】
本開示は、電子ペンによって文字や図画を入力することができる画像表示装置、画像表示装置の駆動方法、および画像表示システムに関する。
【背景技術】
【０００２】
画像表示装置の画像表示面に、「電子ペン」や「ライトペン」と呼ばれるペン型のポインティングデバイスを使用して、文字や図画を手書き入力することができる機能を有するものがある。
【０００３】
例えば、特許文献１には、表示画面にライトペンにより直接記入し、画面表示を行う電子黒板に関する技術が開示されている。
【０００４】
特許文献２には、プラズマディスプレイパネル上の座標位置を光センサを用いて検出するプラズマディスプレイパネルの座標位置検出装置および座標位置検出方法が開示されている。
【先行技術文献】
【特許文献】
【０００５】
【特許文献１】特開平４−１４１４９８号公報
【特許文献２】特開２００１−３１８７６５号公報
【発明の概要】
【発明が解決しようとする課題】
【０００６】
本開示は、座標検出のための発光を、コントラストの低下を抑制しつつ発生させる画像表示装置、画像表示装置の駆動方法、および画像表示システムを提供することを目的とする。
【課題を解決するための手段】
【０００７】
本開示における画像表示装置は、行方向に延長された走査電極と列方向に延長されたデータ電極とが交差した領域に形成された放電セルが複数配列されて画像表示領域を構成する画像表示部と、書込み期間と書込み期間に書込み放電を発生した放電セルに同期検出放電を発生する同期検出期間とを有する同期検出サブフィールドを発生して画像表示部を駆動する駆動回路とを備える。この画像表示装置では、互いに隣接する複数の走査電極を１つの走査電極群とする。そして、１つの走査電極群と互いに隣接する複数のデータ電極とが交差する領域に含まれる所定の色を発光する複数の放電セルは、同期検出サブフィールドが発生する毎に順に同期検出放電を発生する。
【０００８】
また、本開示における画像表示装置では、互いに異なる色を発光する複数の放電セルで１つの画素を構成し、列方向に配列された複数の画素を１つの画素列とするとともに互いに隣接する複数の画素列を１つの画素列群とする。そして、駆動回路は、１つの走査電極群と１つの画素列群とが交差する領域に形成されたＮ×Ｍ個の画素において、所定の色を発光する放電セルのそれぞれに、同期検出サブフィールドが発生する毎に順に同期検出放電を発生する。
【０００９】
また、本開示における画像表示装置では、１つの走査電極群は、互いに隣接するＮ本の走査電極からなり、１つの画素列群は、互いに隣接するＭ本の画素列からなり、時間的に連続するＮ×Ｍ個のフィールドを１つのフィールド群とする。そして、駆動回路は、同期検出サブフィールドを１フィールドに１回発生し、Ｎ×Ｍ個の画素の所定の色を発光する放電セルのそれぞれに、１フィールド毎に順に同期検出放電を発生し、所定の色を発光する１つの放電セルに同期検出放電が発生する回数を１つのフィールド群で１回としてもよい。
【００１０】
また、本開示における画像表示装置では、所定の色を青としてもよい。
【００１１】
本開示における画像表示システムは、画像表示装置と、受光素子を有する電子ペンとを備える。画像表示装置では、行方向に延長された複数の走査電極と列方向に延長された複数のデータ電極とが交差した領域に複数の放電セルが形成され、互いに異なる色を発光する複数の放電セルで構成された画素が複数配列されて画像表示領域を構成する。そして、画像表示装置は、書込み期間と書込み期間に書込み放電を発生した放電セルに同期検出放電を発生する同期検出期間とを有する同期検出サブフィールドを発生して画像表示部を駆動する。また、画像表示装置は、互いに隣接するＮ本の走査電極を１つの走査電極群とし、列方向に配列された複数の画素を１つの画素列とするとともに互いに隣接するＭ本の画素列を１つの画素列群とする。そして、１つの走査電極群と１つの画素列群とが交差する領域に形成されたＮ×Ｍ個の画素において、同期検出サブフィールドが発生する毎に、所定の色を発光する放電セルが順に同期検出放電を発生する。電子ペンは、同期検出サブフィールドにおいて画像表示装置の画像表示領域に発生する発光を受光して、位置座標を算出するための基準信号を発生する。
【発明の効果】
【００１２】
本開示によれば、コントラストの低下を抑制しつつ、座標検出のための発光を発生させる画像表示装置の駆動方法、画像表示装置、および電子ペンを用いて描画可能な画像表示システムを提供することが可能となる。
【図面の簡単な説明】
【００１３】
【図１】本発明の実施の形態１における画像表示装置に用いるパネルの構造の一例を示す分解斜視図である。
【図２】本発明の実施の形態１における画像表示装置に用いるパネルの電極配列の一例を示す図である。
【図３】本発明の実施の形態１における画像表示サブフィールドにおいてパネルの各電極に印加する駆動電圧波形の一例を概略的に示す図である。
【図４】本発明の実施の形態１における座標検出サブフィールにおいてパネルの各電極に印加する駆動電圧波形の一例を概略的に示す図である。
【図５】本発明の実施の形態１における画像表示システムの一構成例を概略的に示す図である。
【図６】本発明の実施の形態１における走査電極駆動回路の一構成例を概略的に示す回路図である。
【図７】本発明の実施の形態１における維持電極駆動回路の一構成例を概略的に示す回路図である。
【図８】本発明の実施の形態１におけるデータ電極駆動回路の一構成例を概略的に示す回路図である。
【図９】本発明の実施の形態１における画像表示システムにおいて電子ペンを使用するときの位置座標検出動作の一例を概略的に示す図である。
【図１０】本発明の実施の形態１における画像表示システムにおいて電子ペンを使用するときの動作の一例を概略的に示す図である。
【図１１】本発明の実施の形態１における画像表示システムにおいて電子ペンによる手書き入力を行うときの動作の一例を概略的に示す図である。
【図１２】本発明の実施の形態２における座標検出サブフィールにおいてパネルの各電極に印加する駆動電圧波形の一例を概略的に示す図である。
【図１３】本発明の実施の形態２におけるＮ＝２のときの特定の走査電極とフィールドとの関係を示す図である。
【図１４】本発明の実施の形態２におけるＮ＝２のときに同期検出期間Ｐｏに同期検出放電が発生する放電セルを概略的に示す図である。
【図１５】本発明の実施の形態３における座標検出サブフィールにおいてパネルの各電極に印加する駆動電圧波形の一例を概略的に示す図である。
【図１６】本発明の実施の形態３におけるＮ＝２、Ｍ＝２のときの特定の走査電極１２および特定のデータ電極２２とフィールドとの関係を示す図である。
【図１７】本発明の実施の形態３におけるＮ＝２、Ｍ＝２のときに同期検出期間Ｐｏに同期検出放電が発生する放電セルを概略的に示す図である。
【発明を実施するための形態】
【００１４】
以下、本発明の実施の形態における画像表示システムについて、図面を用いて説明する。以下の実施の形態では、一例として、画像表示部としてプラズマディスプレイパネル（以下、「パネル」と略記する）を備えた画像表示装置を構成要素に含む画像表示システムを説明する。
【００１５】
（実施の形態１）
図１は、本発明の実施の形態１における画像表示装置に用いるパネル１０の一例を示す分解斜視図である。
【００１６】
ガラス製の前面基板１１上には、走査電極１２と維持電極１３とからなる表示電極対１４が複数形成され、表示電極対１４を覆うように誘電体層１５が形成され、その誘電体層１５上に保護層１６が形成されている。前面基板１１は画像が表示される画像表示面となる。
【００１７】
背面基板２１上にはデータ電極２２が複数形成され、データ電極２２を覆うように誘電体層２３が形成され、さらにその上に井桁状の隔壁２４が形成されている。そして、隔壁２４の側面および誘電体層２３の表面には赤色（Ｒ）に発光する蛍光体層２５Ｒ、緑色（Ｇ）に発光する蛍光体層２５Ｇ、および青色（Ｂ）に発光する蛍光体層２５Ｂが設けられている。以下、蛍光体層２５Ｒ、蛍光体層２５Ｇ、蛍光体層２５Ｂをまとめて蛍光体層２５とも記す。
【００１８】
これら前面基板１１と背面基板２１とを、放電空間を挟んで表示電極対１４とデータ電極２２とが交差するように対向配置し、その放電空間に放電ガスを封入する。
【００１９】
パネル１０においては、表示電極対１４が延伸する方向に配列された連続する３つの放電セルで１つの画素を構成する。この３つの放電セルとは、蛍光体層２５Ｒを有し赤色（Ｒ）に発光する放電セル（以下、「赤の放電セル」と記す）と、蛍光体層２５Ｇを有し緑色（Ｇ）に発光する放電セル（以下、「緑の放電セル」と記す）と、蛍光体層２５Ｂを有し青色（Ｂ）に発光する放電セル（以下、「青の放電セル」と記す）である。
【００２０】
なお、パネル１０は上述した構造に限られるわけではなく、例えばストライプ状の隔壁を備えたものであってもよい。
【００２１】
図２は、本発明の実施の形態１における画像表示装置３０に用いるパネル１０の電極配列の一例を示す図である。
【００２２】
パネル１０には、第１の方向に延長されたｎ本の走査電極ＳＣ１〜ＳＣｎ（図２の走査電極１２）およびｎ本の維持電極ＳＵ１〜ＳＵｎ（図２の維持電極１３）が配列され、第１の方向に直交する第２の方向に延長されたｍ本のデータ電極Ｄ１〜Ｄｍ（図２のデータ電極２２）が配列されている。
【００２３】
以下、第１の方向を行方向（または水平方向、またはライン方向、またはｘ座標方向）と呼称し、第２の方向を列方向（または垂直方向、またはｙ座標方向）と呼称する。
【００２４】
１対の走査電極ＳＣｉ（ｉ＝１〜ｎ）および維持電極ＳＵｉと１つのデータ電極Ｄｊ（ｊ＝１〜ｍ）とが交差した領域に放電セルが１つ形成される。そして、互いに隣接する赤、緑、青の放電セルが一組となって１つの画素を構成する。したがって、１対の表示電極対１４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３＝５７６０となり、ｎ＝１０８０となる。
【００２５】
例えば、データ電極Ｄｐ（ｐ＝３×ｑ−２  ：  ｑはｍ／３以下の正の整数）を有する放電セルには赤の蛍光体が蛍光体層２５Ｒとして塗布されており、この放電セルは赤の放電セルとなる。データ電極Ｄｐ＋１を有する放電セルには緑の蛍光体が蛍光体層２５Ｇとして塗布されており、この放電セルは緑の放電セルとなる。データ電極Ｄｐ＋２を有する放電セルには青の蛍光体が蛍光体層２５Ｂとして塗布されており、この放電セルは青の放電セルとなる。そして、互いに隣接する赤の放電セル、緑の放電セルおよび青の放電セルが一組となって１つの画素を構成する。
【００２６】
次に、本実施の形態における画像表示装置において発生する駆動電圧波形について図３、図４を用いて説明する。
【００２７】
本実施の形態においては、１フィールドに、パネル１０に画像を表示するための複数の画像表示サブフィールド（図３に示す）と、電子ペンの「位置座標」を検出するための複数の座標検出サブフィールド（図４に示す）とを備える。なお、「位置座標」とは、パネル１０の画像表示領域において電子ペンによって示される位置の座標（電子ペンの位置を示す座標）のことである。
【００２８】
各画像表示サブフィールドは、初期化期間、書込み期間および維持期間を有する。以下、画像表示サブフィールドを単にサブフィールドとも記す。
【００２９】
初期化期間における初期化動作には、放電セルに強制的に初期化放電を発生する「強制初期化動作」と、直前のサブフィールドの書込み期間で書込み放電を発生した放電セルだけに選択的に初期化放電を発生する「選択初期化動作」がある。
【００３０】
なお、１フィールドの画像表示サブフィールドの数は例えば８つ（サブフィールドＳＦ１〜ＳＦ８）であり、各サブフィールドの輝度重みは例えば（１、３４、２１、１３、８、５、３、２）である。しかしサブフィールド数、輝度重み等は、何ら上記の数値に限定されるものではない。
【００３１】
図３は、本発明の実施の形態１における画像表示サブフィールドのサブフィールドＳＦ１〜ＳＦ３においてパネル１０の各電極に印加する駆動電圧波形の一例を概略的に示す図である。
【００３２】
強制初期化動作を行うサブフィールドＳＦ１の初期化期間Ｐｉ１の前半部では、データ電極Ｄ１〜Ｄｍ、維持電極ＳＵ１〜ＳＵｎのそれぞれに電圧０（Ｖ）を印加する。走査電極ＳＣ１〜ＳＣｎには、電圧０（Ｖ）を印加した後に、電圧Ｖｉ１から電圧Ｖｉ２まで緩やかに上昇する上り傾斜波形電圧を印加する。
【００３３】
初期化期間Ｐｉ１の後半部では、データ電極Ｄ１〜Ｄｍには電圧０（Ｖ）を印加し、維持電極ＳＵ１〜ＳＵｎには正の電圧Ｖｅを印加する。走査電極ＳＣ１〜ＳＣｎには、電圧０（Ｖ）から負の電圧Ｖｉ４まで緩やかに下降する下り傾斜波形電圧を印加する。
【００３４】
この強制初期化動作によって各放電セルに初期化放電が生じ、各電極上の壁電圧は、続く書込み期間Ｐｗ１での書込み動作に適した電圧に調整される。以下、初期化期間Ｐｉ１に発生する上述の駆動電圧波形を強制初期化波形とする。
【００３５】
なお、傾斜波形電圧によって生じる初期化放電は書込み放電や維持放電と比較して弱い放電であり、初期化放電による発光は書込み放電や維持放電による発光と比較して輝度も低い。
【００３６】
なお、強制初期化動作において強制初期化波形を印加する放電セルは、パネル１０の画像表示領域内にある全ての放電セルであってもよいが、例えば、画像表示領域内にある一部の放電セルであってもよい。これは、以下の説明における強制初期化動作を行う全てのサブフィールドについても同様である。
【００３７】
サブフィールドＳＦ１の書込み期間Ｐｗ１では、１行目の走査電極ＳＣ１に負の電圧Ｖａの負極性の走査パルスを印加し、データ電極Ｄ１〜Ｄｍのうちの１行目において発光するべき放電セルのデータ電極Ｄｋに正の電圧Ｖｄの正極性の書込みパルスを印加する。
【００３８】
同様の書込み動作を、走査電極ＳＣ２、ＳＣ３、ＳＣ４、・・・、ＳＣｎという順番で、ｎ行目の放電セルに至るまで順次行う。
【００３９】
なお、走査パルスおよび書込みパルスの各電圧は、書込み放電が維持放電と比較して弱い放電となるように調整される。これは、書込み放電による発光を、維持放電による発光と比較して低い輝度にし、パネル１０に画像を表示する際の妨げとならないようにするためである。
【００４０】
サブフィールドＳＦ１の維持期間Ｐｓ１では、走査電極ＳＣ１〜ＳＣｎと維持電極ＳＵ１〜ＳＵｎとに、輝度重みに所定の輝度倍数を乗じた数の維持パルスを交互に印加する。直前の書込み期間Ｐｗ１において書込み放電を発生した放電セルは、輝度重みに応じた回数の維持放電が発生し、輝度重みに応じた輝度で発光する。
【００４１】
なお、維持放電は、初期化放電や書込み放電と比較して、強い放電であり発光輝度も高い。
【００４２】
そして、維持パルスの発生後（維持期間Ｐｓ１において維持動作が終了した後）には、維持電極ＳＵ１〜ＳＵｎおよびデータ電極Ｄ１〜Ｄｍに電圧０（Ｖ）を印加したまま、走査電極ＳＣ１〜ＳＣｎに電圧０（Ｖ）から正の電圧Ｖｒまで緩やかに上昇する上り傾斜波形電圧を印加する消去動作を行う。
【００４３】
これにより、維持放電を発生した放電セルに微弱な放電（消去放電）が発生し、放電セル内の不要な壁電荷が消去される。
【００４４】
選択初期化動作を行うサブフィールドＳＦ２の初期化期間Ｐｉ２では、データ電極Ｄ１〜Ｄｍには電圧０（Ｖ）を印加し、維持電極ＳＵ１〜ＳＵｎには正の電圧Ｖｅを印加する。走査電極ＳＣ１〜ＳＣｎには、放電開始電圧未満となる電圧（例えば、電圧０（Ｖ））から負の電圧Ｖｉ４まで下降する下り傾斜波形電圧を印加する。
【００４５】
この選択初期化動作により、直前のサブフィールドＳＦ１の維持期間Ｐｓ１に維持放電を発生した放電セルでは微弱な初期化放電が発生し、各電極上の壁電圧は、続く書込み期間Ｐｗ２での書込み動作に適した壁電圧に調整される。直前のサブフィールドＳＦ１の維持期間Ｐｓ１に維持放電を発生しなかった放電セルでは、初期化放電は発生しない。以下、初期化期間Ｐｉ２に発生する上述の駆動電圧波形を選択初期化波形とする。
【００４６】
続く書込み期間Ｐｗ２および維持期間Ｐｓ２は、維持パルスの発生数を除き、書込み期間Ｐｗ１および維持期間Ｐｓ１と同様の駆動電圧波形を各電極に印加する。
【００４７】
サブフィールドＳＦ３以降の各サブフィールドでは、維持パルスの発生数を除き、サブフィールドＳＦ２と同様の駆動電圧波形を各電極に印加する。
【００４８】
次に、座標検出サブフィールドで発生する駆動電圧波形を、図４を用いて説明する。座標検出サブフィールドは、同期検出サブフィールドＳＦｏ、ｙ座標検出サブフィールドＳＦｙ、およびｘ座標検出サブフィールドＳＦｘの総称である。
【００４９】
画像表示領域内において電子ペンによって示される位置（以下、「電子ペンの位置」とも記す）は、ｘ座標とｙ座標で表される。ｘ座標検出サブフィールドＳＦｘ、ｙ座標検出サブフィールドＳＦｙは、画像表示領域内における電子ペン５０の位置（位置座標）のｘ座標、ｙ座標を検出するためのサブフィールドである。本実施の形態では、行方向の座標をｘ座標とし、列方向の座標をｙ座標としている。
【００５０】
なお、電子ペン５０によって示される位置とは、電子ペン５０の受光素子５２または受光素子５４が、ｘ座標検出サブフィールドＳＦｘで表示されるｘ座標検出パターンの発光およびｙ座標検出サブフィールドＳＦｙで表示されるｙ座標検出パターンの発光を検知する画像表示面内の位置のことである。
【００５１】
また、本実施の形態における画像表示システムでは、電子ペンと後述する描画装置との間で無線通信を行う。電子ペンは、電子ペンの内部で電子ペンの位置座標を算出し、算出した位置座標のデータを電子ペンから描画装置へ無線通信によって送信する。
【００５２】
同期検出サブフィールドＳＦｏは、画像表示装置に座標検出サブフィールドが発生するタイミングを、電子ペンが正確に把握するためのサブフィールドである。電子ペンは、同期検出サブフィールドＳＦｏで生じる発光を受光することで、画像表示装置と同期をとり、位置座標を算出するための基準となる信号（座標基準信号）を高い精度で発生することが可能になる。
【００５３】
なお、座標検出サブフィールドは、必ずしも毎フィールドに設けなくともよい。
【００５４】
図４は、本発明の実施の形態１における座標検出サブフィールにおいてパネル１０の各電極に印加する駆動電圧波形の一例を概略的に示す図である。
【００５５】
同期検出サブフィールドＳＦｏは、初期化期間Ｐｉｏ、書込み期間Ｐｗｏ、および同期検出期間Ｐｏを有する。
【００５６】
初期化期間Ｐｉｏでは、画像表示サブフィールドのサブフィールドＳＦ１の初期化期間Ｐｉ１とほぼ同様の駆動電圧波形を各電極に印加して同様の強制初期化動作を行うので、詳細な説明を省略する。
【００５７】
なお、図４に示すように、走査電極ＳＣ１〜ＳＣｎに上り傾斜電圧を印加するとき、データ電極Ｄ１〜Ｄｍは、電圧０（Ｖ）を印加した後にハイインピーダンス状態にしてもよい。
【００５８】
データ電極Ｄ１〜Ｄｍをハイインピーダンス状態にすると、走査電極ＳＣ１〜ＳＣｎに印加する上り傾斜波形電圧の電圧上昇にともない、データ電極Ｄ１〜Ｄｍの電圧は電圧０（Ｖ）から徐々に上昇する。
【００５９】
これにより、走査電極ＳＣ１〜ＳＣｎと維持電極ＳＵ１〜ＳＵｎとの間の放電が、走査電極ＳＣ１〜ＳＣｎとデータ電極Ｄ１〜Ｄｍとの間の放電よりも先に発生する。その結果、初期化放電が安定に発生する。
【００６０】
しかし、データ電極Ｄ１〜Ｄｍは、初期化期間Ｐｉ１と同様に電圧０（Ｖ）を印加したままにしてもよい。
【００６１】
また、図４に示すように、走査電極ＳＣ１〜ＳＣｎに下り傾斜電圧を印加するとき、維持電極ＳＵ１〜ＳＵｎは、電圧Ｖｅを印加した後にハイインピーダンス状態にしてもよく、あるいは、電圧Ｖｅを印加したままにしてもよい。
【００６２】
この強制初期化動作によって各放電セルに初期化放電が生じ、各電極上の壁電圧は、続く書込み期間Ｐｗｏでの書込み動作に適した電圧に調整される。
【００６３】
同期検出サブフィールドＳＦｏの書込み期間Ｐｗｏでは、データ電極Ｄ１〜Ｄｍには電圧０（Ｖ）を印加し、維持電極ＳＵ１〜ＳＵｎには電圧Ｖｅを印加し、走査電極ＳＣ１〜ＳＣｎには電圧Ｖｃを印加する。
【００６４】
次に、あらかじめ定められた所定の色の蛍光体層を有する放電セルのデータ電極２２だけに電圧Ｖｄの書込みパルスを印加する。他のデータ電極２２には書込みパルスを印加せず電圧０（Ｖ）を印加する。
【００６５】
本実施の形態において、所定の色は、例えば青色である。したがって、書込み期間Ｐｗｏでは、青の放電セルに対応するデータ電極２２（本実施の形態では、データ電極Ｄ３、Ｄ６、Ｄ９、・・・、Ｄｍ）だけに書込みパルスを印加し、赤および緑の放電セルに対応するデータ電極２２（例えば、データ電極Ｄ１、Ｄ２、Ｄ４、Ｄ５、・・・、Ｄｍ−２、Ｄｍ−１）には書込みパルスを印加しない。
【００６６】
そして、所定の色を発光する放電セルのデータ電極２２に書込みパルスを印加したまま、電圧Ｖａの走査パルスを走査電極ＳＣ１から走査電極ＳＣｎまで順次印加する。
【００６７】
これにより、書込み期間Ｐｗｏでは、青の放電セルだけに書込み放電が発生する。
【００６８】
書込み動作を終了した後は、データ電極Ｄ１〜Ｄｍに電圧０（Ｖ）を印加する。また、走査電極ＳＣ１〜ＳＣｎには電圧Ｖｃを印加し、その後、電圧０（Ｖ）を印加する。本実施の形態では、時刻ｔｏ０から時間Ｔｏ０の間、この状態を維持する。この期間は、放電セルに最後の書込み放電が発生した後、放電が発生しない状態が維持される。なお、時刻ｔｏ０は、最後の書込み放電を発生させるための走査パルスを走査電極ＳＣｎに印加した時刻である。
【００６９】
そして、本実施の形態では、時間Ｔｏ０を、後述する時間Ｔｏ１、時間Ｔｏ２、時間Ｔｏ３のいずれよりも長い時間に設定する。本実施の形態では、時間Ｔｏ０は、例えば、約５０μｓｅｃである。
【００７０】
次に、同期検出サブフィールドＳＦｏの同期検出期間Ｐｏでは、電子ペンにおける位置座標算出時の基準となる複数回の発光（同期検出用の発光）をパネル１０の所定の色（本実施の形態では、青）の放電セルに生じさせる。
【００７１】
図４に示す例では、時刻ｔｏ０から時間Ｔｏ０が経過した後の時刻ｔｏ１において、維持電極ＳＵ１〜ＳＵｎに電圧０（Ｖ）を印加するとともに走査電極ＳＣ１〜ＳＣｎに電圧Ｖｓｏの同期検出パルスＶ１を印加する。次に、時刻ｔｏ１から時間Ｔｏ１が経過した後の時刻ｔｏ２において、走査電極ＳＣ１〜ＳＣｎに電圧０（Ｖ）を印加するとともに維持電極ＳＵ１〜ＳＵｎに電圧Ｖｓｏの同期検出パルスＶ２を印加する。次に、時刻ｔｏ２から時間Ｔｏ２が経過した後の時刻ｔｏ３において、維持電極ＳＵ１〜ＳＵｎに電圧０（Ｖ）を印加するとともに走査電極ＳＣ１〜ＳＣｎに電圧Ｖｓｏの同期検出パルスＶ３を印加する。次に、時刻ｔｏ３から時間Ｔｏ３が経過した後の時刻ｔｏ４において、走査電極ＳＣ１〜ＳＣｎに電圧０（Ｖ）を印加するとともに維持電極ＳＵ１〜ＳＵｎに電圧Ｖｓｏの同期検出パルスＶ４を印加する。
【００７２】
これにより、パネル１０の画像表示領域内にある所定の色（例えば、青）の放電セルに４回の同期検出放電が発生し、パネル１０の画像表示面の全面が所定の色（例えば、青）の発光色で４回発光する（同期検出用の発光）。
【００７３】
このように、同期検出期間Ｐｏでは、あらかじめ定められた所定の時間間隔（例えば、時間Ｔｏ１、時間Ｔｏ２、時間Ｔｏ３）で、パネル１０の画像表示領域内の所定の色（例えば、青）の放電セルに同期検出放電を複数回（例えば、４回）発生させ、同期検出用の発光（青色の発光）を複数回生じさせる。
【００７４】
なお、この同期検出放電は、維持放電と同様の放電であって、書込み放電と比較して強い放電であり、書込み期間Ｐｗｏで発生する発光よりも輝度が高い。しかし、本実施の形態においては、同期検出放電を発生する放電セルは全体の１／３の放電セル（例えば、青の放電セル）であり、全体の２／３の放電セル（例えば、赤および緑の放電セル）には同期検出放電は発生しない。そのため、本実施の形態における同期検出期間Ｐｏでは、同期検出放電にともなって生じる発光の輝度を、全放電セルに同期検出放電が発生する従来の構成と比較して、約１／３に低減することができる。
【００７５】
そして、電子ペンは、あらかじめ定められた所定の時間間隔（例えば、時間Ｔｏ１、時間Ｔｏ２、時間Ｔｏ３）で発生する複数回（例えば、４回）の同期検出用の発光（青色の発光）を受光して座標基準信号（電子ペンの位置座標（ｘ座標，ｙ座標）を算出する際に基準となる信号）を作成する。
【００７６】
同期検出サブフィールドＳＦｏでは、パネル１０の画像表示面の全面が同じタイミングで一斉に所定の色（例えば、青）で光るので、電子ペン５０は、パネル１０の画像表示領域内のどの位置でこの発光を受光したとしても、同じタイミングで受光することができる。
【００７７】
本実施の形態では、例えば、時間Ｔｏ１は約４０μｓｅｃであり、時間Ｔｏ２は約２０μｓｅｃであり、時間Ｔｏ３は約３０μｓｅｃである。しかし、本発明は時間Ｔｏ０〜Ｔｏ３の各時間が何ら上述した数値に限定されるものではない。各時間は画像表示システム１００の仕様等に応じて適切に設定すればよい。
【００７８】
同期検出サブフィールドＳＦｏの同期検出期間Ｐｏにおいて、同期検出パルスＶ４の発生後（同期検出期間Ｐｏの最後）には、サブフィールドＳＦ１の維持期間Ｐｓ１の最後に行う消去動作と同様の消去動作を行う。これにより、パネル１０の画像表示領域内にある所定の色（例えば、青）の放電セルに微弱な消去放電が発生する。
【００７９】
続いて、ｙ座標検出サブフィールドＳＦｙとｘ座標検出サブフィールドＳＦｘを発生する。
【００８０】
ｙ座標検出サブフィールドＳＦｙは、初期化期間Ｐｉｙとｙ座標検出期間Ｐｙ１と消去期間Ｐｅｙとを有する。
【００８１】
ｙ座標検出サブフィールドＳＦｙの初期化期間Ｐｉｙでは選択初期化動作を行う。初期化期間Ｐｉｙでは、まず、データ電極Ｄ１〜Ｄｍ、維持電極ＳＵ１〜ＳＵｎのそれぞれに電圧０（Ｖ）を印加し、走査電極ＳＣ１〜ＳＣｎには、電圧０（Ｖ）から負の電圧Ｖｉ４まで緩やかに下降する下り傾斜波形電圧を印加する。
【００８２】
次に、データ電極Ｄ１〜Ｄｍ、維持電極ＳＵ１〜ＳＵｎに電圧０（Ｖ）を印加したまま、走査電極ＳＣ１〜ＳＣｎに電圧Ｖｓを印加する。
【００８３】
次に、データ電極Ｄ１〜Ｄｍに電圧０（Ｖ）を印加したまま、走査電極ＳＣ１〜ＳＣｎに電圧０（Ｖ）を印加し、維持電極ＳＵ１〜ＳＵｎには電圧Ｖｓを印加する。
【００８４】
次に、維持電極ＳＵ１〜ＳＵｎに電圧Ｖｅを印加し、走査電極ＳＣ１〜ＳＣｎには、電圧０（Ｖ）から負の電圧Ｖｉ４まで緩やかに下降する下り傾斜波形電圧を印加する。走査電極ＳＣ１〜ＳＣｎに下り傾斜電圧を印加するとき、図４に示すように、維持電極ＳＵ１〜ＳＵｎは、電圧Ｖｅを印加した後にハイインピーダンス状態にしてもよく、あるいは、電圧Ｖｅを印加したままにしてもよい。
【００８５】
同期検出期間Ｐｏではパネル１０の画像表示領域内にある全ての所定の色（例えば、青）の放電セルに同期検出放電が発生するので、初期化期間Ｐｉｙでは、それらの放電セルに微弱な初期化放電が発生し、それらの放電セルの壁電圧が、続くｙ座標検出期間Ｐｙにおけるｙ座標検出パターン表示動作に適した壁電圧に調整される。
【００８６】
時刻ｔｙ０に始まるｙ座標検出期間Ｐｙでは、維持電極ＳＵ１〜ＳＵｎにはハイインピーダンス状態の後に電圧Ｖｅを印加し、データ電極Ｄ１〜Ｄｍには電圧０（Ｖ）を印加し、走査電極ＳＣ１〜ＳＣｎには電圧Ｖｃを印加する。
【００８７】
次に、時刻ｔｙ０から期間Ｔｙ０が経過した後に、データ電極Ｄ１〜Ｄｍに正極性のｙ座標検出電圧Ｖｄｙを印加し、１行目の走査電極ＳＣ１に電圧Ｖａｙの負極性のｙ座標検出パルスを印加する。なお、図４では、このｙ座標検出パルスのパルス幅をＴｙ１として示している。
【００８８】
ｙ座標検出電圧Ｖｄｙを印加したデータ電極Ｄ１〜Ｄｍと、電圧Ｖａｙのｙ座標検出パルスを印加した走査電極ＳＣ１との交差部にある１行目の放電セルでは、放電が発生する。以下、この放電を「ｙ座標検出放電」とも記す。
【００８９】
このｙ座標検出放電は、書込み放電と同様の放電であり維持放電と比較して弱い放電であって発光輝度も低い。
【００９０】
このようにして、１行目を構成する全ての放電セルに放電が発生し、それらの放電セルが一斉に発光する。そして、この発光は、電子ペンを使用するときのｙ座標検出用の発光となる。
【００９１】
以下、１つの行を構成する放電セルの集合体を「放電セル行」と記し、１つの行を構成する画素の集合体を「画素行」と記す。本実施の形態では、放電セル行と画素行とは実質的に同じものであり、上述の動作では、１行目の画素行（１行目の放電セル行）が一斉に発光する。
【００９２】
同様の動作を、データ電極Ｄ１〜Ｄｍにｙ座標検出電圧Ｖｄｙを印加したまま、走査電極ＳＣ２、走査電極ＳＣ３、・・・、走査電極ＳＣｎという順番で、ｎ行目の放電セルに至るまで順次行い、２行目からｎ行目（例えば、１０８０行目）までの各画素行（放電セル行）にｙ座標検出のための発光を順次発生させる。
【００９３】
これにより、ｙ座標検出サブフィールドＳＦｙのｙ座標検出期間Ｐｙでは、白色に発光する１本の横線（すなわち、白色に発光する１つの画素行）が、パネル１０の画像表示領域の上端部（１行目の画素行）から下端部（ｎ行目の画素行）まで１行ずつ順次移動するパターン（ｙ座標検出パターン）が表示される。
【００９４】
以下、ｙ座標検出期間Ｐｙで発生するｘ座標方向に延長した１本の発光線を、「第１の発光線」とも記す。すなわち、ｙ座標検出期間Ｐｙで発生するｙ座標検出パターンは、ｘ座標方向に延長した第１の発光線がｙ座標方向に順次移動する（画像表示領域の１行目からｎ行目までの各画素行が１行毎に順次発光する）パターンである。
【００９５】
ｙ座標検出期間Ｐｙでパネル１０にｙ座標検出パターンを表示すると、画像表示領域の１行目からｎ行目までの各画素行が１行毎に順次発光するので、電子ペンの位置座標がパネル１０の画像表示領域内のどこにあるかによって、電子ペンがこの発光を受光するタイミングは変化する。したがって、電子ペンで第１の発光線を受光するタイミングを検出することで、画像表示領域における電子ペンの位置座標（ｘ，ｙ）のｙ座標を検出することができる。
【００９６】
本実施の形態では、ｙ座標検出期間Ｐｙで走査電極ＳＣ１〜ＳＣｎのそれぞれにｙ座標検出パルスを印加する時間をＴｙ１とする。このＴｙ１は、例えば、約１μｓｅｃである。
【００９７】
ｙ座標検出サブフィールドＳＦｙの消去期間Ｐｅｙでは、サブフィールドＳＦ１の維持期間Ｐｓ１の最後に行う消去動作と同様の消去動作を行う。これにより、パネル１０の画像表示領域内にある全ての放電セルに微弱な消去放電が発生する。
【００９８】
なお、図４には、ｙ座標検出期間Ｐｙにおいて全てのデータ電極Ｄ１〜Ｄｍにｙ座標検出電圧Ｖｄｙを印加する例を示したが、本実施の形態は何らこの構成に限定されない。例えば、あらかじめ定められた所定の色の蛍光体層を有する放電セルのデータ電極２２だけにｙ座標検出電圧Ｖｄｙを印加してもよい。
【００９９】
例えば、青の放電セルに対応するデータ電極２２（本実施の形態では、データ電極Ｄ３、Ｄ６、Ｄ９、・・・、Ｄｍ）だけにｙ座標検出電圧Ｖｄｙを印加し、他のデータ電極２２には電圧０（Ｖ）を印加するように構成してもよい。この構成では、ｙ座標検出パターンをパネル１０に表示するときに青の放電セルだけが発光するので、「第１の発光線」は青色となり、白色に発光する場合と比較して発光輝度が約１／３に低減され、パネル１０のコントラストを向上することができる。
【０１００】
あるいは、赤および緑の放電セルに対応するデータ電極２２（本実施の形態では、データ電極Ｄ１、Ｄ２、Ｄ４、Ｄ５、・・・Ｄｍ−２、Ｄｍ−１）だけにｙ座標検出電圧Ｖｄｙを印加し、他のデータ電極２２には電圧０（Ｖ）を印加するように構成してもよい。この構成では、ｙ座標検出パターンをパネル１０に表示するときに赤および緑の放電セルだけが発光するので、「第１の発光線」は黄色となり、白色に発光する場合と比較して発光輝度が約２／３に低減される。さらに、「第１の発光線」の発光色が同期検出期間Ｐｏに生じる発光（例えば、青）の補色となるので、使用者には、同期検出期間Ｐｏに生じる発光（例えば、青）に補色（例えば、黄）が重畳され、座標検出サブフィールドの期間に発生する発光が、所定の色（例えば、青）よりも白色に近い色に感じられるという効果を得ることもできる。
【０１０１】
続くｘ座標検出サブフィールドＳＦｘは、初期化期間Ｐｉｘとｘ座標検出期間Ｐｘと消去期間Ｐｅｘとを有する。
【０１０２】
ｘ座標検出サブフィールドＳＦｘの初期化期間Ｐｉｘでは強制初期化動作を行う。初期化期間Ｐｉｘでは、まず、データ電極Ｄ１〜Ｄｍ、維持電極ＳＵ１〜ＳＵｎのそれぞれに電圧０（Ｖ）を印加し、走査電極ＳＣ１〜ＳＣｎには、電圧０（Ｖ）を印加した後、電圧Ｖｉ１から電圧Ｖｉ２まで緩やかに上昇する上り傾斜波形電圧を印加する。
【０１０３】
なお、図４に示すように、走査電極ＳＣ１〜ＳＣｎに上り傾斜電圧を印加するとき、データ電極Ｄ１〜Ｄｍは、電圧０（Ｖ）を印加した後にハイインピーダンス状態にしてもよい。
【０１０４】
データ電極Ｄ１〜Ｄｍをハイインピーダンス状態にすると、走査電極ＳＣ１〜ＳＣｎに印加する上り傾斜波形電圧の電圧上昇にともない、データ電極Ｄ１〜Ｄｍの電圧は電圧０（Ｖ）から徐々に上昇する。
【０１０５】
これにより、走査電極ＳＣ１〜ＳＣｎと維持電極ＳＵ１〜ＳＵｎとの間の放電が、走査電極ＳＣ１〜ＳＣｎとデータ電極Ｄ１〜Ｄｍとの間の放電よりも先に発生し、初期化放電が安定に発生する。
【０１０６】
次に、データ電極Ｄ１〜Ｄｍに電圧０（Ｖ）を印加し、維持電極ＳＵ１〜ＳＵｎに電圧Ｖｅを印加する。そして、走査電極ＳＣ１〜ＳＣｎには、電圧０（Ｖ）から負の電圧Ｖａまで緩やかに下降する下り傾斜波形電圧を印加し、次に、電圧０（Ｖ）から電圧Ｖｒまで緩やかに上昇する上り傾斜波形電圧を印加し、次に、電圧０（Ｖ）からｘ座標検出電圧Ｖａｘまで緩やかに下降する下り傾斜波形電圧を印加する。
【０１０７】
初期化期間Ｐｉｘでは、全ての放電セルに初期化放電が発生し、それら全ての放電セルの壁電圧が、続くｘ座標検出期間Ｐｘにおけるｘ座標検出パターン表示動作に適した壁電圧に調整される。
【０１０８】
時刻ｔｘ０に始まるｘ座標検出期間Ｐｘでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに負極性のｘ座標検出電圧Ｖａｘを印加する。
【０１０９】
次に、時刻ｔｘ０から期間Ｔｘ０が経過した後に、走査電極ＳＣ１〜ＳＣｎにｘ座標検出電圧Ｖａｘを印加したまま、１〜３列目のデータ電極Ｄ１〜Ｄ３に電圧Ｖｄｘの正極性のｘ座標検出パルスを印加する。なお、図４では、このｘ座標検出パルスのパルス幅をＴｘ１として示している。
【０１１０】
なお、データ電極Ｄ１〜Ｄ３は、１つの画素を構成する赤の放電セル、緑の放電セル、青の放電セルに対応しており、この画素は、例えば画像表示領域の左端に配置された画素である。
【０１１１】
電圧Ｖｄｘのｘ座標検出パルスを印加したデータ電極Ｄ１〜Ｄ３と、ｘ座標検出電圧Ｖａｘを印加した走査電極ＳＣ１〜ＳＣｎとの交差部にある１〜３列目の放電セルでは、放電が発生する。以下、この放電を「ｘ座標検出放電」とも記す。
【０１１２】
このｘ座標検出放電は、書込み放電と同様の放電であり維持放電と比較して弱い放電であって発光輝度も低い。
【０１１３】
このようにして、１列目を構成する全ての画素に放電が発生し、それらの画素が一斉に発光する。そして、この発光は、電子ペンを使用するときのｘ座標検出用の発光となる。
【０１１４】
以下、１つの列を構成する放電セルの集合体を「放電セル列」と記す。また、互いに隣接する３列の放電セル列で構成される放電セルの集合体（画素の列）を「画素列」と記す。上述の動作では、１列目の画素列（すなわち、１列目、２列目および３列目の放電セル列）が一斉に発光する。
【０１１５】
同様の動作を、走査電極ＳＣ１〜ＳＣｎにｘ座標検出電圧Ｖａｘを印加したまま、データ電極Ｄ４〜Ｄ６、データ電極Ｄ７〜Ｄ９、・・・、データ電極Ｄｍ−２〜Ｄｍという順番で、互いに隣接する３本のデータ電極２２毎に、ｍ列目の放電セルに至るまで順次行い、２列目から最終列目（例えば、１９２０列目）までの各画素列にｘ座標検出のための発光を順次発生させる。
【０１１６】
これにより、ｘ座標検出サブフィールドＳＦｘのｘ座標検出期間Ｐｘでは、白色に発光する１本の縦線（すなわち、白色に発光する１つの画素列）が、パネル１０の画像表示領域の左端部（１列目の画素列）から右端部（ｍ／３列目の画素列）まで１列ずつ順次移動するパターン（ｘ座標検出パターン）が表示される。すなわち、このｘ座標検出パターンは、画像表示領域の１列目から最終列目までの各画素列が、１列毎に順次発光するパターンである。言い換えると、このｘ座標検出パターンとは、互いに隣接する３つの放電セル列が、画像表示領域の左端部（１列目）から右端部（ｍ列目）まで、３列ずつ順次発光するパターンである。
【０１１７】
以下、ｘ座標検出期間Ｐｘで発生するｙ座標方向に延長した１本の発光線を、「第２の発光線」とも記す。すなわち、ｘ座標検出期間Ｐｘで発生するｘ座標検出パターンは、ｙ座標方向に延長した第２の発光線がｘ座標方向に順次移動する（画像表示領域の１列目からｍ／３列目までの各画素列が１列毎に順次発光する）パターンである。
【０１１８】
ｘ座標検出期間Ｐｘでパネル１０にｘ座標検出パターンを表示すると、画像表示領域の１列目から最終列目までの各画素列が１列毎に順次発光するので、電子ペンの位置座標がパネル１０の画像表示領域内のどこにあるかによって、電子ペンがこの発光を受光するタイミングは変化する。したがって、電子ペンで第２の発光線を受光するタイミングを検出することで、画像表示領域における電子ペンの位置座標（ｘ，ｙ）のｘ座標が検出される。
【０１１９】
本実施の形態では、ｘ座標検出期間Ｐｘでデータ電極Ｄ１〜Ｄｍのそれぞれにｘ座標検出パルスを印加する時間をＴｘ１とする。このＴｘ１は、例えば、約１μｓｅｃである。
【０１２０】
ｘ座標検出サブフィールドＳＦｘの消去期間Ｐｅｘでは、維持電極ＳＵ１〜ＳＵｎおよびデータ電極Ｄ１〜Ｄｍに電圧０（Ｖ）を印加したまま、走査電極ＳＣ１〜ＳＣｎに電圧０（Ｖ）から正の電圧Ｖｒまで緩やかに上昇する上り傾斜波形電圧を印加する。
【０１２１】
次に、維持電極ＳＵ１〜ＳＵｎに電圧０（Ｖ）を印加したまま、走査電極ＳＣ１〜ＳＣｎには、電圧０（Ｖ）を印加した後、電圧Ｖｉ１から電圧Ｖｉ２まで緩やかに上昇する上り傾斜波形電圧を印加する。なお、図４に示すように、走査電極ＳＣ１〜ＳＣｎに上り傾斜電圧を印加するとき、データ電極Ｄ１〜Ｄｍは、電圧０（Ｖ）を印加した後にハイインピーダンス状態にしてもよい。
【０１２２】
データ電極Ｄ１〜Ｄｍをハイインピーダンス状態にすると、走査電極ＳＣ１〜ＳＣｎに印加する上り傾斜波形電圧の電圧上昇にともない、データ電極Ｄ１〜Ｄｍの電圧は電圧０（Ｖ）から徐々に上昇する。
【０１２３】
これにより、走査電極ＳＣ１〜ＳＣｎと維持電極ＳＵ１〜ＳＵｎとの間の放電が、走査電極ＳＣ１〜ＳＣｎとデータ電極Ｄ１〜Ｄｍとの間の放電よりも先に発生し、初期化放電が安定に発生する。
【０１２４】
次に、データ電極Ｄ１〜Ｄｍに電圧０（Ｖ）を印加し、維持電極ＳＵ１〜ＳＵｎには電圧０（Ｖ）を印加したまま、走査電極ＳＣ１〜ＳＣｎに、電圧０（Ｖ）から負の電圧Ｖｉ４まで緩やかに下降する下り傾斜波形電圧を印加する。
【０１２５】
こうして、パネル１０の画像表示領域内にある全ての放電セルに微弱な消去放電が発生する。
【０１２６】
なお、図４には、ｘ座標検出期間Ｐｘにおいて全てのデータ電極Ｄ１〜Ｄｍにｘ座標検出パルスを印加する例を示したが、本実施の形態は何らこの構成に限定されない。例えば、あらかじめ定められた所定の色の蛍光体層を有する放電セルのデータ電極２２だけにｘ座標検出パルスを印加してもよい。
【０１２７】
例えば、青の放電セルに対応するデータ電極２２（本実施の形態では、データ電極Ｄ３、Ｄ６、Ｄ９、・・・、Ｄｍ）だけにｘ座標検出パルスを順次印加し、他のデータ電極２２には電圧０（Ｖ）を印加するように構成してもよい。この構成では、ｘ座標検出パターンをパネル１０に表示するときに青の放電セルだけが発光するので、「第２の発光線」は青色となり、白色に発光する場合と比較して発光輝度が約１／３に低減され、パネル１０のコントラストを向上することができる。
【０１２８】
あるいは、赤および緑の放電セルに対応するデータ電極２２（本実施の形態では、データ電極Ｄ１、Ｄ２、Ｄ４、Ｄ５、・・・Ｄｍ−２、Ｄｍ−１）だけにｘ座標検出パルスを１画素毎に順次印加し、他のデータ電極２２には電圧０（Ｖ）を印加するように構成してもよい。この構成では、ｘ座標検出パターンをパネル１０に表示するときに赤および緑の放電セルだけが発光するので、「第２の発光線」は黄色となり、白色に発光する場合と比較して発光輝度が約２／３に低減される。さらに、「第２の発光線」の発光色が同期検出期間Ｐｏに生じる発光（例えば、青）の補色となるので、使用者には、同期検出期間Ｐｏに生じる発光（例えば、青）に補色（例えば、黄）が重畳され、座標検出サブフィールドの期間に発生する発光色が、所定の色（例えば、青）よりも白色に近い色に感じられるという効果を得ることもできる。
【０１２９】
なお、本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。
【０１３０】
また、初期化期間Ｐｉ１、Ｐｉｏ、Ｐｉｘ、消去期間Ｐｅｘに発生する電圧Ｖｉ２まで上昇する上り傾斜波形電圧の勾配は約１．５（Ｖ／μｓｅｃ）であり、初期化期間Ｐｉ１〜Ｐｉ８、Ｐｉｏ、Ｐｉｙ、Ｐｉｘに発生する下り傾斜波形電圧の勾配は約−２．５（Ｖ／μｓｅｃ）である。また、維持期間Ｐｓ１〜Ｐｓ８、同期検出期間Ｐｏ、消去期間Ｐｅｙ、Ｐｅｘ、初期化期間Ｐｉｘに発生する電圧Ｖｒまで上昇する上り傾斜波形電圧の勾配は約１０（Ｖ／μｓｅｃ）である。
【０１３１】
しかし、上述した電圧値や勾配等の具体的な数値は単なる一例に過ぎず、各電圧値や勾配等は、パネル１０の放電特性や画像表示装置の仕様等にもとづき最適に設定することが望ましい。
【０１３２】
なお、時間Ｔｏ０を、時間Ｔｏ１、Ｔｏ２、Ｔｏ３のいずれの時間よりも長い時間に設定するのは、電子ペンが、同期検出サブフィールドＳＦｏの書込み期間Ｐｗｏにおいて発生する書込み放電による発光を、同期検出放電による発光と誤認識することを防止するためである。
【０１３３】
次に、本実施の形態における画像表示システム１００について説明する。
【０１３４】
図５は、本発明の実施の形態１における画像表示システム１００の一構成例を概略的に示す図である。
【０１３５】
本実施の形態に示す画像表示システム１００は、画像表示装置３０、描画装置４０、および電子ペン５０を構成要素に含み、電子ペン５０と描画装置４０との間で無線通信を行う。図５には、１本の電子ペン５０を示しているが、画像表示システム１００は複数の電子ペン５０を備えていてもよい。
【０１３６】
画像表示装置３０は、画像を表示するディスプレイデバイス、およびそのディスプレイデバイスを駆動する駆動回路を備えている。本実施の形態では、パネル１０を有するプラズマディスプレイ装置を画像表示装置３０として用いる例を説明するが、画像表示装置３０は、例えば、液晶パネル、有機ＥＬパネル、ＬＥＤパネル等、他のディスプレイデバイスを用いたものであってもよい。
【０１３７】
画像表示装置３０は、駆動回路として、画像信号処理回路３１、データ電極駆動回路３２、走査電極駆動回路３３、維持電極駆動回路３４、タイミング発生回路３５、および各回路ブロックに必要な電源を供給する電源回路（図示せず）を備えている。そして、これらの駆動回路が、図３、図４を用いて説明した駆動電圧波形を発生してパネル１０に印加し、パネル１０を駆動する。
【０１３８】
画像信号処理回路３１には、外部から入力される画像信号、描画装置４０から出力される描画信号、およびタイミング発生回路３５から供給されるタイミング信号が入力される。画像信号処理回路３１は、画像信号と描画信号とを合成してその合成後の信号にもとづき、またはいずれか一方の信号にもとづき、各放電セルに赤、緑、青の各階調値（１フィールドで表現される階調値）を設定し、各階調値を、サブフィールド毎の点灯・非点灯を示す画像データ（発光・非発光をデジタル信号の「１」、「０」に対応させたデータのこと）に変換して出力する。
【０１３９】
タイミング発生回路３５は、画像信号として送信されて来る信号から水平同期信号および垂直同期信号を分離し、その水平同期信号および垂直同期信号にもとづき、各回路ブロックの動作を制御する各種のタイミング信号を発生する。そして、発生したタイミング信号をそれぞれの回路ブロック（データ電極駆動回路３２、走査電極駆動回路３３、維持電極駆動回路３４、および画像信号処理回路３１等）へ供給する。
【０１４０】
データ電極駆動回路３２は、画像信号処理回路３１から出力される画像データとタイミング発生回路３５から供給されるタイミング信号にもとづいて上述した駆動電圧波形を発生し、各データ電極Ｄ１〜Ｄｍに印加する。
【０１４１】
維持電極駆動回路３４は、維持パルス発生回路、電圧Ｖｅを発生する回路（図示せず）を備え、タイミング発生回路３５から供給されるタイミング信号にもとづいて上述した駆動電圧波形を発生し、各維持電極ＳＵ１〜ＳＵｎに印加する。
【０１４２】
走査電極駆動回路３３は、傾斜波形電圧発生回路、維持パルス発生回路、走査パルス発生回路（図示せず）を備え、タイミング発生回路３５から供給されるタイミング信号にもとづいて上述した駆動電圧波形を発生し、各走査電極ＳＣ１〜ＳＣｎに印加する。
【０１４３】
電子ペン５０は、棒状に形成されており、使用者が、電子ペン５０の先端部をパネル１０に直接接触させて（近接使用）、あるいは、パネル１０から離れた位置から（遠隔使用）、画像表示装置３０の画像表示領域に、文字や図画等を手書き入力したり（ペン機能）カーソルを表示する（ポインタ機能）ことに使用される。電子ペン５０は、座標検出サブフィールドによってパネル１０に生じる発光を受光することで位置座標を検出する。位置座標の検出は、上述したように、電子ペン５０が、パネル１０に表示されるｙ座標検出パターンの発光を受光してｙ座標を算出し、パネル１０に表示されるｘ座標検出パターンの発光を受光してｘ座標を算出することによって行われる。
【０１４４】
電子ペン５０は、受光素子５２、５４、接触スイッチ５３、複数（または単数）の手動スイッチ８３、同期検出部５６、座標算出部５７、送信部５８、およびアタッチメント検出スイッチ８６を備えている。
【０１４５】
なお、図５には示していないが、電子ペン５０は、電源スイッチ、パイロットランプ等も有する。電源スイッチは、電子ペン５０の電源オン・オフを制御するためのスイッチである。パイロットランプは、複数の発光色を切替えて発光することが可能な発光素子（例えば、ＬＥＤ等）で構成され、電子ペン５０の動作状態を発光・非発光または発光色の切替えによって表示する。
【０１４６】
第１の受光素子５２は、電子ペン５０の長手方向の一方の端部（以下、「近接側端部」と記す）に設けられ、第２の受光素子５４は、電子ペン５０の長手方向の他方の端部（以下、「遠隔側端部」と記す）に設けられている。受光素子５２、５４は、画像表示装置３０の画像表示面に生じる発光を受光して電気信号（受光信号）に変換する。この受光信号は、受光した光の光量に応じて変化し、光量が大きいほど受光信号も大きくなる。そして、それらの受光信号は、同期検出部５６と座標算出部５７に出力される。なお、本実施の形態において、電子ペン５０の位置座標（ｘ，ｙ）とは、受光素子５２または受光素子５４が画像表示装置３０の画像表示面に生じる発光を受光する位置のことである。
【０１４７】
接触スイッチ５３は、電子ペン５０の受光素子５２が取付けられた側（近接側）の先端部に設けられ、電子ペン５０の近接側端部が画像表示装置３０の画像表示面に接触したかどうかを検知する。接触スイッチ５３は、電子ペン５０の近接側端部がパネル１０に接触していればオンになってＳ１＝「１」を出力し、接触していなければオフになってＳ１＝「０」を出力する。
【０１４８】
手動スイッチ８３の１つは、遠隔使用時の描画用スイッチとして用いられる。この手動スイッチ８３は、使用者によってオン・オフが切り替えられ、オンのときはＳ１’＝「１」を出力し、オフのときはＳ１’＝「０」を出力する。また、手動スイッチ８３の他の１つは、使用者の操作により描画モードＳ０（例えば描画に用いる線の色、線の太さ、線の種類、等）を任意に切り替えることができる。また、他の手動スイッチ８３には、例えば、選択ボタンとしての機能を有するものや、表示画像を拡大／縮小する機能を有するもの等がある。
【０１４９】
電子ペン５０は、集光レンズ８４を備えたアタッチメント８０を、遠隔側端部に着脱可能に装着することができる。アタッチメント８０を装着することで、電子ペン５０の受光素子５４は、パネル１０に表示される座標検出サブフィールドの発光を、画像表示装置３０から数メートル離れた位置でも受光することができるようになる。これにより、電子ペン５０を、画像表示装置３０から数メートル（例えば、８ｍ程度）離れた位置からでも使用すること（遠隔使用）が可能になる。
【０１５０】
そして、アタッチメント検出スイッチ８６は、アタッチメント８０が電子ペン５０に装着されているときにオン状態となってＳ２＝「１」を出力し、装着されていなければオフ状態となってＳ２＝「０」を出力する。
【０１５１】
なお、アタッチメント検出スイッチ８６に代えて、手動スイッチ８３の１つによってＳ２＝「１」ｏｒ「０」を切替える構成であってもよい。
【０１５２】
このように、本実施の形態における電子ペン５０は、受光素子５２を設けた近接側端部を画像表示装置３０の画像表示面に直接接触させて（またはパネル１０に比較的近い位置で）使用する「近接使用」と、受光素子５４を設けた遠隔側端部にアタッチメント８０を装着し、集光レンズ８４をパネル１０の方向に向け、画像表示装置３０の画像表示面から離れた位置で使用する「遠隔使用」の２通りの使用が可能である。
【０１５３】
なお、電子ペン５０にアタッチメント８０を装着しないときは、受光素子５４を設けた遠隔側端部を、例えば、文字や図画を消去する「消去機能」に使用してもよい。
【０１５４】
同期検出部５６は、受光素子５２または受光素子５４から出力される受光信号にもとづき、同期検出サブフィールドＳＦｏの同期検出期間Ｐｏに発生する同期検出用の発光（同期検出放電によって生じる発光）を検出する。具体的には、同期検出部５６は、同期検出部５６が有するタイマー（図示せず）を用いて、複数（例えば、５回）の発光の発生間隔を計測する。そして、その発生間隔があらかじめ定められた所定の時間間隔（例えば、時間Ｔｏ０、Ｔｏ１、Ｔｏ２、Ｔｏ３）に合致するかどうかを、同期検出部５６に設定された複数のしきい値（例えば、時間Ｔｏ０、Ｔｏ１、Ｔｏ２、Ｔｏ３に相当するしきい値）と計測された時間間隔とを比較することで判定する。
【０１５５】
そして、同期検出部５６は、その連続する複数回（例えば、５回）の発光のうちの１つを基準にして座標基準信号を作成する。例えば、同期検出サブフィールドＳＦｏの同期検出期間Ｐｏの時刻ｔｏ１に発生した発光を基準にして座標基準信号を作成する。時刻ｔｏ１は、同期検出サブフィールドＳＦｏの同期検出期間Ｐｏにおいて走査電極ＳＣ１〜ＳＣｎに１回目の同期検出パルスＶ１を印加する時刻である。
【０１５６】
座標算出部５７は、時間の長さを計測するカウンタと、カウンタの出力に演算を施す演算回路とを備える（図示せず）。
【０１５７】
そして、座標算出部５７は、座標基準信号および受光信号にもとづき、ｙ座標検出パターンの発光を示す信号およびｘ座標検出パターンの発光を示す信号を受光信号から選択的に取り出し、画像表示領域における電子ペン５０の位置座標（ｘ，ｙ）を算出する。
【０１５８】
なお、同期検出部５６、座標算出部５７の動作の詳細は後述する。
【０１５９】
送信部５８は、電気信号をエンコードし、エンコード後の信号を例えば赤外線等の無線信号に変換して発信する発信回路を有する（図示せず）。そして、電子ペン５０に個別に付与されている固有の識別番号（ＩＤ）、電子ペン５０の描画モードＳ０（例えば描画に用いる線の色、線の太さ、線の種類、等）、接触スイッチ５３の状態Ｓ１、手動スイッチ８３の状態Ｓ１’、アタッチメント検出スイッチ８６の状態Ｓ２、座標算出部５７が算出した電子ペン５０の位置座標（ｘ，ｙ）を表す信号等をそれぞれエンコードした後に無線信号に変換し、描画装置４０の受信部４２に無線送信する。
【０１６０】
描画装置４０は、受信部４２と描画部４６を備えている。描画装置４０は、電子ペン５０の座標算出部５７が算出した位置座標（ｘ，ｙ）および描画モードＳ０等にもとづく描画信号を作成し、画像表示装置３０に出力する。この描画信号は、使用者が手書き入力した画像や、ポインタとして使用するカーソルをパネル１０に表示するための信号であり、画像信号と実質的に同じものである。
【０１６１】
受信部４２は、電子ペン５０の送信部５８から無線送信される無線信号を受信し、その受信信号をデコードして電気信号に変換する変換回路を有する（図５には示さず）。そして、送信部５８から無線送信される無線信号を、電子ペン５０の識別番号（ＩＤ）、描画モードＳ０、状態Ｓ１、Ｓ１’、Ｓ２、位置座標（ｘ，ｙ）を表す信号に変換して描画部４６に出力する。電子ペン５０が複数のときは、各電子ペン５０から送信されてくる各信号をそれぞれ受信してデコードする。
【０１６２】
描画部４６は、画像メモリ４７を備える。そして、描画部４６は、座標算出部５７が算出した位置座標（ｘ，ｙ）に対応する画素を中心に、描画モードＳ０に応じた色および大きさの描画パターン（例えば、白色の丸等のパターン）の描画信号を作成し、画像メモリ４７に書込む。
【０１６３】
描画部４６は、状態Ｓ１＝１（接触スイッチ５３がオンの状態）、または状態Ｓ２＝１かつ状態Ｓ１’＝１（アタッチメント８０が電子ペン５０に装着され、かつ手動スイッチ８３がオンの状態）のときには、作成した描画信号を画像メモリ４７に蓄積する。したがって、これらの状態が維持されている期間は、電子ペン５０の過去の位置座標の軌跡に現在の電子ペン５０の位置座標が加えられた描画信号が画像メモリ４７に蓄積される。
【０１６４】
また、描画部４６は、状態Ｓ１＝０（接触スイッチ５３がオフの状態）、または状態Ｓ２＝１かつ状態Ｓ１’＝０（アタッチメント８０が電子ペン５０に装着され、かつ手動スイッチ８３がオフの状態）のときには、１フィールド前の位置座標（ｘ’，ｙ’）に対応する描画信号を画像メモリ４７から消去する。したがって、これらの状態が維持されている期間に画像メモリ４７に蓄積される描画信号は、接触スイッチ５３がオンの状態であったとき、またはアタッチメント８０が電子ペン５０に装着され、かつ手動スイッチ８３がオンの状態であったときの電子ペン５０の位置座標の過去の軌跡と、電子ペン５０の現在の位置座標を表す信号（ポインタ機能）になる。
【０１６５】
また、描画部４６は、状態Ｓ１＝０かつ状態Ｓ２＝０かつ状態Ｓ１’＝１（接触スイッチ５３がオフの状態であり、アタッチメント８０が電子ペン５０に装着されておらず、かつ手動スイッチ８３がオンの状態）のときには、画像メモリ４７に蓄積されている描画信号を、受光素子５４の受光信号から算出した位置座標（ｘ，ｙ）にもとづき画像メモリ４７から消去する（消去機能）。
【０１６６】
画像表示システム１００で使用されている電子ペン５０の数が複数であれば、描画部４６は、各電子ペン５０の軌跡が互いに混同しないように位置座標（ｘ，ｙ）を互いに区別して、各電子ペン５０に対して上述の動作を行う。
【０１６７】
そして、描画部４６は、画像メモリ４７に蓄積された描画信号を画像表示装置３０に出力する。
【０１６８】
次に、走査電極駆動回路３３、維持電極駆動回路３４、データ電極駆動回路３２について説明する。
【０１６９】
図６は、本発明の実施の形態１における走査電極駆動回路３３の一構成例を概略的に示す回路図である。
【０１７０】
走査電極駆動回路３３は、維持パルス発生回路５５と、傾斜波形電圧発生回路６０と、走査パルス発生回路７０とを備えている。各回路ブロックは、タイミング発生回路３５から供給されるタイミング信号にもとづき動作するが、図６では、タイミング信号の経路の詳細は省略する。以下、走査パルス発生回路７０に入力される電圧を「基準電位Ａ」と記す。
【０１７１】
維持パルス発生回路５５は、電力回収回路５１と、スイッチング素子Ｑ５５、Ｑ５６、Ｑ５９とを有する。電力回収回路５１は、電力回収用のコンデンサＣ１０、スイッチング素子Ｑ１１、Ｑ１２、逆流防止用のダイオードＤｉ１１、Ｄｉ１２、共振用のインダクタＬ１１、Ｌ１２を有する。
【０１７２】
電力回収回路５１は、ＬＣ共振により、パネル１０に蓄えられた電力をパネル１０から回収してコンデンサＣ１０に蓄え、回収した電力を、走査電極ＳＣ１〜ＳＣｎを駆動するときに再利用する。
【０１７３】
スイッチング素子Ｑ５５は、走査電極ＳＣ１〜ＳＣｎを電圧Ｖｓにクランプし、スイッチング素子Ｑ５６は、走査電極ＳＣ１〜ＳＣｎを電圧０（Ｖ）にクランプする。スイッチング素子Ｑ５９は分離スイッチであり、電流の逆流を防止する。
【０１７４】
そして、維持パルス発生回路５５は、電圧Ｖｓの維持パルスを発生し、走査電極ＳＣ１〜ＳＣｎに印加する。また、同期検出サブフィールドＳＦｏの同期検出期間Ｐｏでは同期検出パルスＶ１、Ｖ３を走査電極ＳＣ１〜ＳＣｎに印加する。
【０１７５】
走査パルス発生回路７０は、スイッチング素子Ｑ７１Ｈ１〜Ｑ７１Ｈｎ、Ｑ７１Ｌ１〜Ｑ７１Ｌｎ、Ｑ７２、負の電圧Ｖａを発生する電源、電圧Ｖｐを発生する電源Ｅ７１を有する。そして、走査パルス発生回路７０の基準電位Ａに電圧Ｖｐを重畳して電圧Ｖｃ（Ｖｃ＝Ｖａ＋Ｖｐ）を発生し、電圧Ｖａと電圧Ｖｃとを切り換えながら走査電極ＳＣ１〜ＳＣｎに印加することで走査パルスを発生する。
【０１７６】
なお、走査パルス発生回路７０は、維持期間では維持パルス発生回路５５の出力電圧をそのまま出力する。
【０１７７】
また、走査パルス発生回路７０は、図４に示したタイミングで、ｙ座標検出期間Ｐｙではｙ座標検出パルスを発生し、ｘ座標検出期間Ｐｘではｘ座標検出電圧Ｖａｘ（＝電圧Ｖａ）を発生して、走査電極ＳＣ１〜ＳＣｎに印加する。
【０１７８】
傾斜波形電圧発生回路６０は、ミラー積分回路６１、６２、６３を備え、図３、図４に示した傾斜波形電圧を発生する。
【０１７９】
ミラー積分回路６１は、トランジスタＱ６１とコンデンサＣ６１と抵抗Ｒ６１とを有し、電圧Ｖｔ（＝電圧Ｖｉ２）に向かって緩やかに上昇する上り傾斜波形電圧を発生する。
【０１８０】
あるいは、電圧Ｖｔに電圧Ｖｐを重畳した電圧が電圧Ｖｉ２に等しくなるように設定すれば、ミラー積分回路６１で発生した上り傾斜波形電圧に電源Ｅ７１の電圧Ｖｐを重畳することで、電圧Ｖｉ２まで上昇する上り傾斜波形電圧を発生することもできる。
【０１８１】
ミラー積分回路６２は、トランジスタＱ６２とコンデンサＣ６２と抵抗Ｒ６２と逆流防止用のダイオードＤｉ６２とを有し、電圧Ｖｒに向かって緩やかに上昇する上り傾斜波形電圧を発生する。
【０１８２】
ミラー積分回路６３は、トランジスタＱ６３とコンデンサＣ６３と抵抗Ｒ６３とを有し、電圧Ｖｉ４に向かって緩やかに下降する下り傾斜波形電圧を発生する。
【０１８３】
スイッチング素子Ｑ６９は分離スイッチであり、電流の逆流を防止する。
【０１８４】
図７は、本発明の実施の形態における維持電極駆動回路３４の一構成例を概略的に示す回路図である。
【０１８５】
維持電極駆動回路３４は、維持パルス発生回路８２と、一定電圧発生回路８５とを備えている。各回路ブロックは、タイミング発生回路３５から供給されるタイミング信号にもとづき動作するが、図７では、タイミング信号の経路の詳細は省略する。
【０１８６】
維持パルス発生回路８２は、電力回収回路８１と、スイッチング素子Ｑ８３、Ｑ８４とを有する。電力回収回路８１は、電力回収用のコンデンサＣ２０、スイッチング素子Ｑ２１、Ｑ２２、逆流防止用のダイオードＤｉ２１、Ｄｉ２２、共振用のインダクタＬ２１、Ｌ２２を有する。
【０１８７】
電力回収回路８１は、ＬＣ共振により、パネル１０に蓄えられた電力をパネル１０から回収してコンデンサＣ２０に蓄え、回収した電力を、維持電極ＳＵ１〜ＳＵｎを駆動するときに再利用する。
【０１８８】
スイッチング素子Ｑ８３は維持電極ＳＵ１〜ＳＵｎを電圧Ｖｓにクランプし、スイッチング素子Ｑ８４は維持電極ＳＵ１〜ＳＵｎを電圧０（Ｖ）にクランプする。
【０１８９】
そして、維持パルス発生回路８２は、電圧Ｖｓの維持パルスを発生し、維持電極ＳＵ１〜ＳＵｎに印加する。また、同期検出サブフィールドＳＦｏの同期検出期間Ｐｏでは同期検出パルスＶ２、Ｖ４を維持電極ＳＵ１〜ＳＵｎに印加する。
【０１９０】
一定電圧発生回路８５は、スイッチング素子Ｑ８６、Ｑ８７を有し、図３、図４に示したタイミングで維持電極ＳＵ１〜ＳＵｎに電圧Ｖｅを印加する。
【０１９１】
図８は、本発明の実施の形態におけるデータ電極駆動回路３２の一構成例を概略的に示す回路図である。
【０１９２】
データ電極駆動回路３２は、画像信号処理回路３１から供給される画像データおよびタイミング発生回路３５から供給されるタイミング信号にもとづき動作するが、図８では、それらの信号の経路の詳細は省略する。
【０１９３】
データ電極駆動回路３２は、スイッチング素子Ｑ９１Ｈ１〜Ｑ９１Ｈｍ、Ｑ９１Ｌ１〜Ｑ９１Ｌｍを有する。そして、スイッチング素子Ｑ９１Ｌｊをオンにすることでデータ電極Ｄｊに電圧０（Ｖ）を印加し、スイッチング素子Ｑ９１Ｈｊをオンにすることでデータ電極Ｄｊに電圧Ｖｄを印加する。こうしてデータ電極駆動回路３２は、図３、図４に示したタイミングで、各書込み期間では電圧Ｖｄの書込みパルスを、ｙ座標検出期間Ｐｙではｙ座標検出電圧Ｖｄｙ（＝電圧Ｖｄ）を、ｘ座標検出期間Ｐｘでは電圧Ｖｄｘ（＝電圧Ｖｄ）のｘ座標検出パルスを、各データ電極Ｄ１〜Ｄｍに印加する。
【０１９４】
次に、同期検出部５６、座標算出部５７の動作を図９を交えて説明する。
【０１９５】
図９は、本発明の実施の形態１における画像表示システム１００において電子ペン５０を使用するときの位置座標検出動作の一例を概略的に示す図である。
【０１９６】
図９には、駆動電圧波形に加え、座標算出部５７に入力される座標基準信号、および受光素子５２（または受光素子５４）から出力される受光信号を示す。なお、図９に示す駆動電圧波形は、図４に示した駆動電圧波形と同じものである。
【０１９７】
本実施の形態における画像表示装置３０では、時刻ｔｏ１から時刻ｔｙ０までの時間Ｔｏｙ、時刻ｔｏ１から時刻ｔｘ０までの時間Ｔｏｘは、あらかじめ定められている。したがって、同期検出部５６は、時刻ｔｏ１を特定できれば、図９に示す時刻ｔｙ０と時刻ｔｘ０とのそれぞれに立上りエッジがある座標基準信号を発生し、座標算出部５７に出力することができる。
【０１９８】
時刻ｔｏ１は、上述したように、同期検出部５６が、発光の間隔が順に時間Ｔｏ０、時間Ｔｏ１、時間Ｔｏ２、時間Ｔｏ３となる連続する５回の発光（これらの発光にもとづき受光素子５２から出力される受光信号）を検出することで、特定される。
【０１９９】
なお、同期検出部５６では、受光信号をあらかじめ設定された受光しきい値ｔｈ１と比較し（図示せず）、受光しきい値ｔｈ１以上の受光信号に関して微分値を算出する等して局所的なピークが発生する時刻を検出する。こうして、各時刻や各時間を検出する。
【０２００】
また、放電セルに放電を発生するための電圧を印加する時刻と、実際に放電が発生して発光のピークが電子ペン５０で検出される時刻には、放電特性に起因する時間差が生じるが、その時間差をあらかじめ測定し、オフセット値として各時刻の補正に用いてもよい。
【０２０１】
このように、同期検出部５６は、同期検出用の発光にもとづき時刻ｔｏ１を特定し、時刻ｔｏ１を基準にして、時刻ｔｙ０と時刻ｔｘ０とのそれぞれに立上りエッジがある座標基準信号を発生し、後段の座標算出部５７に出力する。
【０２０２】
なお、本実施の形態では、時刻ｔｏ１を基準にして座標基準信号を発生する例を説明しているが、座標基準信号は、時刻ｔｏ２、または時刻ｔｏ３、または時刻ｔｏ４を基準にして発生してもよい。
【０２０３】
座標算出部５７は、時間の長さを計測するカウンタと、カウンタの出力に演算を施す演算回路とを備える（図示せず）。
【０２０４】
そして、座標算出部５７は、座標基準信号にもとづき、時刻ｔｙ０から、時刻ｔｙ０以降に最初に受光素子５２（または、受光素子５４）で発光が受光される時刻ｔｙｙまでの時間Ｔｙｙをカウンタで測定する。そして、演算回路において時間Ｔｙｙから時間Ｔｙ０（時刻ｔｙ０から最初のｙ座標検出パルスが発生するまでの時間）を減算し、その減算結果を時間Ｔｙ１（ｙ座標検出パルスのパルス幅）で除算する。こうして画像表示領域における電子ペン５０の位置のｙ座標を算出する。
【０２０５】
次に、座標算出部５７は、座標基準信号にもとづき、時刻ｔｘ０から、時刻ｔｘ０以降に最初に受光素子５２（または、受光素子５４）で発光が受光される時刻ｔｘｘまでの時間Ｔｘｘをカウンタで測定する。そして、演算回路において時間Ｔｘｘから時間Ｔｘ０（時刻ｔｘ０から最初のｘ座標検出パルスが発生するまでの時間）を減算し、その減算結果を時間Ｔｘ１（近接用ｘ座標検出パルスのパルス幅）で除算する。こうして画像表示領域における電子ペン５０の位置のｘ座標を算出する。
【０２０６】
座標算出部５７は、このようにして算出した電子ペン５０の位置座標（ｘ，ｙ）を送信部５８に出力する。
【０２０７】
次に、本実施の形態における画像表示システム１００の動作について説明する。
【０２０８】
図１０は、本発明の実施の形態１における画像表示システム１００において電子ペン５０を使用するときの動作の一例を概略的に示す図である。
【０２０９】
図１１は、本発明の実施の形態１における画像表示システム１００において電子ペン５０による手書き入力を行うときの動作の一例を概略的に示す図である。
【０２１０】
なお、図１０、図１１には、電子ペン５０の近接側端部（受光素子５２を設けた側の先端部）をパネル１０に接触（または近接）させて使用する「近接使用」時の電子ペン５０の動作例を示すが、電子ペン５０にアタッチメント８０を装着して使用する「遠隔使用」時の動作は、接触スイッチ５３に代えて描画用の手動スイッチ８３を用いる以外は近接使用時と同様である。
【０２１１】
図１０に示すように、ｙ座標検出サブフィールドＳＦｙのｙ座標検出期間Ｐｙでは、画像表示領域の上端部（１行目）から下端部（ｎ行目）まで順次移動する第１の発光線Ｌｙがパネル１０に表示される。また、ｘ座標検出サブフィールドＳＦｘのｘ座標検出期間Ｐｘでは、画像表示領域の左端部（１列目の画素列）から右端部（ｍ／３列目の画素列）まで順次移動する第２の発光線Ｌｘがパネル１０に表示される。
【０２１２】
したがって、電子ペン５０の受光素子５２（または受光素子５４）がパネル１０の画像表示面の「座標（ｘ，ｙ）」の発光を受光すれば、第１の発光線Ｌｙが座標（ｘ，ｙ）を通過する時刻ｔｙｙと、第２の発光線Ｌｘが座標（ｘ，ｙ）を通過する時刻ｔｘｘにおいて、受光素子５２（または受光素子５４）は発光を受光する。
【０２１３】
これにより、電子ペン５０は、図９に示したように、受光素子５２（または受光素子５４）が第１の発光線Ｌｙの発光を受光したことを示す受光信号を時刻ｔｙｙにおいて出力し、受光素子５２（または受光素子５４）が第２の発光線Ｌｘの発光を受光したことを示す受光信号を時刻ｔｘｘにおいて出力する。
【０２１４】
描画部４６は、図１１に示すように、位置座標（ｘ，ｙ）に対応する画素を中心に、描画モードＳ０に応じた色および大きさの描画パターン（例えば、白色の丸等のパターン、以下、「カーソル１０１」と記す）の描画信号を発生する。この描画信号は描画部４６の画像メモリ４７に順次書込まれ、状態Ｓ１＝１（接触スイッチ５３がオンの状態）、または状態Ｓ２＝１かつ状態Ｓ１’＝１（アタッチメント８０が電子ペン５０に装着され、かつ描画用の手動スイッチ８３がオンの状態）の期間の描画信号は画像メモリ４７に蓄積される。そして、画像表示装置３０は、描画部４６の画像メモリ４７に蓄積された描画信号にもとづく画像をパネル１０に表示する。
【０２１５】
したがって、例えば図１１に示すように、使用者が電子ペン５０の近接側端部をパネル１０の画像表示面に接触させたまま移動させると（遠隔使用時には、描画用の手動スイッチ８３をオンにしたまま電子ペン５０の位置座標を移動させると）、その移動の軌跡を示す図柄がパネル１０に表示される。こうして、パネル１０には、電子ペン５０を用いて手書き入力された図画が表示される。
【０２１６】
以上のように、本実施の形態では、同期検出サブフィールドＳＦｏの書込み期間Ｐｗｏにおいて、あらかじめ定められた所定の色（例えば、青）の蛍光体層を有する放電セルのデータ電極２２だけに書込みパルスを印加し、所定の色（例えば、青）の放電セルだけに書込み放電を発生させる。これにより、同期検出期間Ｐｏに同期検出放電が発生する放電セルの数は全放電セルの１／３となり、全放電セルに同期検出放電が発生する従来技術と比較して、同期検出放電にともなって生じる発光の輝度を約１／３に低減することができる。したがって、黒の輝度を低減し、パネル１０のコントラストを向上することができる。
【０２１７】
（実施の形態２）
実施の形態２では、同期検出期間Ｐｏに同期検出放電が発生する放電セルの数を、実施の形態１よりもさらに低減する例を説明する。
【０２１８】
図１２は、本発明の実施の形態２における座標検出サブフィールにおいてパネル１０の各電極に印加する駆動電圧波形の一例を概略的に示す図である。
【０２１９】
同期検出サブフィールドＳＦｏは、初期化期間Ｐｉｏ、書込み期間Ｐｗｏ２、および同期検出期間Ｐｏを有する。
【０２２０】
図１２に示す初期化期間Ｐｉｏは、実施の形態１に示した同期検出サブフィールドＳＦｏの初期化期間Ｐｉｏと同様の構成、動作であるので説明を省略する。
【０２２１】
図１２に示す書込み期間Ｐｗｏ２では、実施の形態１に示した同期検出サブフィールドＳＦｏの書込み期間Ｐｗｏとほぼ同様の動作をする。ただし、走査パルスを印加する走査電極１２が実施の形態１に示した書込み期間Ｐｗｏとは異なる。
【０２２２】
書込み期間Ｐｗｏ２では、実施の形態１に示した書込み期間Ｐｗｏと同様に、あらかじめ定められた所定の色（例えば、青）の蛍光体層を有する放電セルのデータ電極２２（例えば、データ電極Ｄ３、Ｄ６、Ｄ９、・・・、Ｄｍ）だけに電圧Ｖｄの書込みパルスを印加する。他のデータ電極２２（例えば、赤および緑の放電セルに対応するデータ電極２２）には書込みパルスを印加せず電圧０（Ｖ）を印加する。
【０２２３】
ただし、書込み期間Ｐｗｏ２では、電圧Ｖａの走査パルスを印加する走査電極１２は、実施の形態１に示した書込み期間Ｐｗｏとは異なり、フィールド毎に定められた特定の走査電極１２とする。
【０２２４】
特定の走査電極１２は、以下の規則にもとづき設定される。なお、以下では、時間的に連続するＮフィールド（Ｎは自然数）を１つのフィールド群とし、連続して配置されたＮ本の走査電極１２を１つの走査電極群とする。また、パネル１０では、画像表示領域の上端部から順に１行目、２行目、・・・、というように走査電極１２および放電セル行（画素行）が配列されているものとする。
【０２２５】
（規則１）１つのフィールドにおいて、走査パルスを印加する特定の走査電極１２の数は、各走査電極群でそれぞれ１つである。
【０２２６】
（規則２）１つの走査電極１２に対して走査パルスを印加するフィールドの数は、各フィールド群でそれぞれ１つである。
【０２２７】
図１３は、本発明の実施の形態２におけるＮ＝２のときの特定の走査電極１２とフィールドとの関係を示す図である。図１３において、横方向はフィールド単位での時間を表しており、縦方向は走査電極１２を表している。
【０２２８】
図１３に示す例では、Ｎ＝２なので、時間的に並んだ２つのフィールド（例えば、フィールドＦｊ、Ｆｊ＋１、等）が１つのフィールド群を構成し、隣接して配置された２つの走査電極１２（例えば、走査電極ＳＣｉ、ＳＣｉ＋１、等）が１つの走査電極群を構成する。
【０２２９】
また、図１３では、走査パルスを印加する走査電極１２を「○」で示し、走査パルスを印加しない走査電極１２を「×」で示している。
【０２３０】
以下、フィールドＦｊ、Ｆｊ＋２、Ｆｊ＋４、・・・、を奇数番目のフィールドとし、フィールドＦｊ＋１、Ｆｊ＋３、Ｆｊ＋５、・・・、を偶数番目のフィールドとする。また、走査電極ＳＣ１、ＳＣ３、・・・、ＳＣｉ、・・・、ＳＣｎ−１を奇数行目の走査電極１２とし、走査電極ＳＣ２、ＳＣ４、・・・、ＳＣｉ＋１、・・・、ＳＣｎを偶数行目の走査電極１２とする。
【０２３１】
図１３に示す例では、奇数番目のフィールド（例えば、フィールドＦｊ、Ｆｊ＋２、Ｆｊ＋４、・・・）では、同期検出サブフィールドＳＦｏの書込み期間Ｐｗｏ２において、奇数行目の走査電極１２（走査電極ＳＣ１、ＳＣ３、・・・、ＳＣｉ、・・・、ＳＣｎ−１）には走査パルスを印加し、偶数行目の走査電極１２（走査電極ＳＣ２、ＳＣ４、・・・、ＳＣｉ＋１、・・・、ＳＣｎ）には走査パルスを印加せずに電圧Ｖｃを印加する。続く偶数番目のフィールド（例えば、フィールドＦｊ＋１、Ｆｊ＋３、Ｆｊ＋５、・・・）では、同期検出サブフィールドＳＦｏの書込み期間Ｐｗｏ２において、奇数行目の走査電極１２には走査パルスを印加せずに電圧Ｖｃを印加し、偶数行目の走査電極１２には走査パルスを印加する。
【０２３２】
これは、奇数行目の走査電極１２と偶数行目の走査電極１２とを、１フィールド毎に交互に特定の走査電極１２とする、と言い換えることができる。
【０２３３】
したがって、図１３に示す例では、奇数番目のフィールド（例えば、フィールドＦｊ、Ｆｊ＋２、Ｆｊ＋４、・・・）の同期検出サブフィールドＳＦｏの書込み期間Ｐｗｏ２では、所定の色（例えば、青）の放電セルのデータ電極２２に書込みパルスを印加したまま、奇数行目の走査電極１２（例えば、走査電極ＳＣ１、ＳＣ３、ＳＣ５、・・、ＳＣｎ−１）に順次走査パルスを印加し、偶数番目のフィールド（例えば、フィールドＦｊ＋１、Ｆｊ＋３、Ｆｊ＋５、・・・）の同期検出サブフィールドＳＦｏの書込み期間Ｐｗｏ２では、所定の色（例えば、青色）の放電セルのデータ電極２２に書込みパルスを印加したまま、偶数行目の走査電極１２（例えば、走査電極ＳＣ２、ＳＣ４、ＳＣ６、・・・、ＳＣｎ）に順次走査パルスを印加することになる。
【０２３４】
これにより、図１３に示す例では、１つの書込み期間Ｐｗｏ２に書込み放電を発生する放電セルの数は、所定の色（例えば、青）の全放電セルの半分となる。これは、全体の放電セルの１／６であり、実施の形態１に示した書込み期間Ｐｗｏに書込み放電が発生する放電セルの半分である。
【０２３５】
なお、図１２の書込み期間Ｐｗｏ２には、奇数行目の走査電極ＳＣ１、ＳＣ３、ＳＣ５、・・・ＳＣｎ−１に走査パルスを印加し、偶数行目の走査電極ＳＣ２、ＳＣ４、ＳＣ６、・・・ＳＣｎには走査パルスを印加せず電圧Ｖｃを印加する例を示す。したがって、時刻ｔｏ０は、最後の書込み放電を発生させるための走査パルスを走査電極ＳＣｎ−１に印加した時刻となる。
【０２３６】
この例では、図示はしないが、次のフィールドの書込み期間Ｐｗｏ２では、偶数行目の走査電極ＳＣ２、ＳＣ４、ＳＣ６、・・・ＳＣｎに走査パルスを印加し、奇数行目の走査電極ＳＣ１、ＳＣ３、ＳＣ５、・・・ＳＣｎ−１には走査パルスを印加せず電圧Ｖｃを印加する。したがって、時刻ｔｏ０は、最後の書込み放電を発生させるための走査パルスを走査電極ＳＣｎに印加した時刻となる。
【０２３７】
図１２に示す同期検出期間Ｐｏは、実施の形態１に示した同期検出期間Ｐｏと同様の構成、動作であるので詳細な説明は省略するが、同期検出期間Ｐｏに同期検出放電が発生する放電セルの概略を図１４に示す。
【０２３８】
図１４は、本発明の実施の形態２におけるＮ＝２のときに同期検出期間Ｐｏに同期検出放電が発生する放電セルを概略的に示す図である。図１４では、同期検出放電が発生する放電セルを白で表し、同期検出放電が発生しない放電セルを黒で表す。また、図１４（ａ）には奇数番目のフィールドの同期検出サブフィールドＳＦｏで同期検出放電が発生する放電セルを示し、図１４（ｂ）には偶数番目のフィールドの同期検出サブフィールドＳＦｏで同期検出放電が発生する放電セルを示す。
【０２３９】
同期検出期間Ｐｏでは、書込み期間Ｐｗｏ２に書込み放電が発生した放電セルだけに同期検出放電が発生する。したがって、図１３に示した例では、奇数番目のフィールドの同期検出サブフィールドＳＦｏでは、図１４（ａ）に示すように、奇数行目の走査電極１２上に形成された所定の色（例えば、青）の放電セル（すなわち、奇数行目の画素の所定の色（例えば、青）の放電セル）に同期検出放電が発生し、偶数番目のフィールドの同期検出サブフィールドＳＦｏでは、図１４（ｂ）に示すように、偶数行目の走査電極１２上に形成された所定の色（例えば、青）の放電セル（すなわち、偶数行目の画素の所定の色（例えば、青）の放電セル）に同期検出放電が発生する。
【０２４０】
このように、Ｎ＝２のときには、奇数行目の画素の所定の色（例えば、青）の放電セルと、偶数行目の画素の所定の色（例えば、青）の放電セルとに、フィールド毎に交互に同期検出放電が発生する。
【０２４１】
したがって、同期検出期間Ｐｏに同期検出放電が発生する放電セルの数は全体の放電セルの１／６（全ての青の放電セルの１／２）となり、同期検出放電にともなって生じる発光の輝度を、全放電セルに同期検出放電が発生する従来の構成と比較して、約１／６に低減することができる。
【０２４２】
これは、本実施の形態では、同期検出期間Ｐｏに同期検出放電が発生する放電セルの数を全体の放電セルの１／（３×Ｎ）（所定の色の全ての放電セルの１／Ｎ）とし、同期検出放電にともなって生じる発光の輝度を、全放電セルに同期検出放電が発生する従来の構成と比較して、約１／（３×Ｎ）に低減することができる、と言い換えることができる。
【０２４３】
こうして、本実施の形態では、同期検出放電にともなって生じる発光の輝度を、実施の形態１に示した同期検出サブフィールドＳＦｏで生じる発光よりも、さらに低下させることができる。
【０２４４】
図１２に示すｙ座標検出サブフィールドＳＦｙおよびｘ座標検出サブフィールドＳＦｘは、実施の形態１に示したｙ座標検出サブフィールドＳＦｙおよびｘ座標検出サブフィールドＳＦｘと同様の構成、動作であるので説明を省略する。
【０２４５】
以上のように、本実施の形態では、同期検出サブフィールドＳＦｏの書込み期間Ｐｗｏ２において、あらかじめ定められた所定の色（例えば、青）の蛍光体層を有する放電セルのデータ電極２２だけに書込みパルスを印加するとともに、フィールド毎に定められた特定の走査電極１２だけに走査パルスを印加する。これにより、同期検出期間Ｐｏに同期検出放電が発生する放電セルの数を、全放電セルの１／（３×Ｎ）とし、全放電セルに同期検出放電が発生する従来技術と比較して、同期検出放電にともなって生じる発光の輝度を約１／（３×Ｎ）に低減することができる。したがって、黒の輝度をさらに低減し、パネル１０のコントラストをさらに向上することができる。
【０２４６】
（実施の形態３）
実施の形態３では、同期検出期間Ｐｏに同期検出放電が発生する放電セルの数を、実施の形態２よりもさらに低減する例を説明する。
【０２４７】
図１５は、本発明の実施の形態３における座標検出サブフィールにおいてパネル１０の各電極に印加する駆動電圧波形の一例を概略的に示す図である。
【０２４８】
同期検出サブフィールドＳＦｏは、初期化期間Ｐｉｏ、書込み期間Ｐｗｏ３、および同期検出期間Ｐｏを有する。
【０２４９】
図１５に示す初期化期間Ｐｉｏは、実施の形態１に示した同期検出サブフィールドＳＦｏの初期化期間Ｐｉｏと同様の構成、動作であるので説明を省略する。
【０２５０】
図１５に示す書込み期間Ｐｗｏ３では、実施の形態２に示した同期検出サブフィールドＳＦｏの書込み期間Ｐｗｏ２とほぼ同様の動作をする。
【０２５１】
ただし、書込みパルスを印加するデータ電極２２が実施の形態２に示した書込み期間Ｐｗｏ２とは異なる。また、走査パルスを印加する特定の走査電極１２に関する規則が、実施の形態２に示した規則と若干異なる。
【０２５２】
書込み期間Ｐｗｏ３では、書込み期間Ｐｗｏ２とは異なり、あらかじめ定められた所定の色（例えば、青）の蛍光体層を有する放電セルのデータ電極２２であって、かつフィールド毎に定められた特定のデータ電極２２に電圧Ｖｄの書込みパルスを印加する。他のデータ電極２２には書込みパルスを印加せず電圧０（Ｖ）を印加する。
【０２５３】
また、走査電極１２に関しては、実施の形態２に示した書込み期間Ｐｗｏ２と同様に、フィールド毎に定められた特定の走査電極１２に電圧Ｖａの走査パルスを印加する。ただし、特定の走査電極１２を定める２つの規則のうちの１つが、実施の形態２に示した（規則２）とは異なる。
【０２５４】
走査パルスを印加する特定の走査電極１２、および書込みパルスを印加する特定のデータ電極２２は、以下の規則にもとづき設定される。なお、以下では、連続して配置されたＭ本（Ｍは自然数）の画素列を１つの画素列群とし、時間的に連続するＮ×Ｍフィールド（Ｎは自然数）を１つのフィールド群とし、連続して配置されたＮ本の走査電極１２を１つの走査電極群とする。また、パネル１０では、画像表示領域の左端部から順に１列目、２列目、・・・、というように画素列が配列されているものとする。
【０２５５】
（規則１）１つのフィールドにおいて、走査パルスを印加する特定の走査電極１２の数は、各走査電極群でそれぞれ１つである。
【０２５６】
（規則２’）１つの走査電極１２に対して走査パルスを印加するフィールドの数は、各フィールド群でそれぞれＭである。
【０２５７】
（規則３）１つのフィールドにおいて、書込みパルスを印加する特定のデータ電極２２は、あらかじめ定められた所定の色の蛍光体層を有する放電セルのデータ電極２２であり、その数は、各画素列群でそれぞれ１つである。
【０２５８】
（規則４）１つのデータ電極２２に対して書込みパルスを印加するフィールドの数は、各フィールド群でそれぞれＮである。
【０２５９】
図１６は、本発明の実施の形態３におけるＮ＝２、Ｍ＝２のときの特定の走査電極１２および特定のデータ電極２２とフィールドとの関係を示す図である。図１６において、横方向はフィールド単位での時間を表しており、縦方向は走査電極１２を表している。
【０２６０】
図１６に示す例では、Ｎ＝２、Ｍ＝２なので、時間的に並んだ４つのフィールド（例えば、フィールドＦｊ、Ｆｊ＋１、Ｆｊ＋２、Ｆｊ＋３、等）が１つのフィールド群を構成し、隣接して配置された２つの走査電極１２（例えば、走査電極ＳＣｉ、ＳＣｉ＋１、等）が１つの走査電極群を構成する。また、隣接する２つの画素列（奇数列目の画素列と偶数列目の画素列）が１つの画素列群を構成する。
【０２６１】
また、図１６では、「○」および「△」は走査パルスを印加する走査電極１２を示し、「×」は走査パルスを印加しない走査電極１２を示している。あわせて、「○」は奇数列目の画素列の所定の色（例えば、青）の放電セルに対応するデータ電極２２に書込みパルスを印加することを示し、「△」は、偶数列目の画素列の所定の色（例えば、青）の放電セルに対応するデータ電極２２に書込みパルスを印加することを示している。
【０２６２】
図１６に示す例では、フィールド群の最初のフィールド（例えば、フィールドＦｊ−４、Ｆｊ、Ｆｊ＋４、等）では、同期検出サブフィールドＳＦｏの書込み期間Ｐｗｏ３において、奇数行目の走査電極１２（走査電極ＳＣ１、ＳＣ３、・・・、ＳＣｉ、・・・、ＳＣｎ−１）には走査パルスを印加し、偶数行目の走査電極１２（走査電極ＳＣ２、ＳＣ４、・・・、ＳＣｉ＋１、・・・、ＳＣｎ）には走査パルスを印加せずに電圧Ｖｃを印加する。また、奇数列目の画素列の所定の色（例えば、青）の放電セルに対応するデータ電極２２には書込みパルスを印加し、偶数列目の画素列の所定の色（例えば、青）の放電セルに対応するデータ電極２２には書込みパルスを印加せずに電圧０（Ｖ）を印加する。
【０２６３】
続く、フィールド群の２番目のフィールド（例えば、フィールドＦｊ−３、Ｆｊ＋１、Ｆｊ＋５、等）では、同期検出サブフィールドＳＦｏの書込み期間Ｐｗｏ３において、奇数行目の走査電極１２には走査パルスを印加し、偶数行目の走査電極１２には走査パルスを印加せずに電圧Ｖｃを印加する。また、奇数列目の画素列の所定の色（例えば、青）の放電セルに対応するデータ電極２２には書込みパルスを印加せずに電圧０（Ｖ）を印加し、偶数列目の画素列の所定の色（例えば、青）の放電セルに対応するデータ電極２２には書込みパルスを印加する。
【０２６４】
続く、フィールド群の３番目のフィールド（例えば、フィールドＦｊ−２、Ｆｊ＋２、Ｆｊ＋６、等）では、同期検出サブフィールドＳＦｏの書込み期間Ｐｗｏ３において、奇数行目の走査電極１２には走査パルスを印加せずに電圧Ｖｃを印加し、偶数行目の走査電極１２には走査パルスを印加する。また、奇数列目の画素列の所定の色（例えば、青）の放電セルに対応するデータ電極２２には書込みパルスを印加せずに電圧０（Ｖ）を印加し、偶数列目の画素列の所定の色（例えば、青）の放電セルに対応するデータ電極２２には書込みパルスを印加する。
【０２６５】
続く、フィールド群の最後のフィールド（例えば、フィールドＦｊ−５、Ｆｊ−１、Ｆｊ＋３、等）では、同期検出サブフィールドＳＦｏの書込み期間Ｐｗｏ３において、奇数行目の走査電極１２には走査パルスを印加せずに電圧Ｖｃを印加し、偶数行目の走査電極１２には走査パルスを印加する。また、奇数列目の画素列の所定の色（例えば、青色）の放電セルに対応するデータ電極２２には書込みパルスを印加し、偶数列目の画素列の所定の色（例えば、青色）の放電セルに対応するデータ電極２２には書込みパルスを印加せずに電圧０（Ｖ）を印加する。
【０２６６】
これにより、図１６に示す例では、１つの書込み期間Ｐｗｏ３に書込み放電を発生する放電セルの数は、所定の色（例えば、青色）の全放電セルの１／４となる。これは、全体の放電セルの１／１２であり、実施の形態２に示した書込み期間Ｐｗｏ２に書込み放電が発生する放電セルの半分である。
【０２６７】
なお、図１５の書込み期間Ｐｗｏ３には、例えば１つのフィールド群で最初のフィールドの書込み期間Ｐｗｏ３として、奇数行目の走査電極ＳＣ１、ＳＣ３、ＳＣ５、・・・ＳＣｎ−１に走査パルスを印加し、偶数行目の走査電極ＳＣ２、ＳＣ４、ＳＣ６、・・・ＳＣｎには走査パルスを印加せず電圧Ｖｃを印加するとともに、奇数列目の画素列の青の放電セルに対応するデータ電極Ｄ３、Ｄ９、Ｄ１５、・・・、に書込みパルスを印加し、偶数列目の画素列の青の放電セルに対応するデータ電極Ｄ６、Ｄ１２、Ｄ１８、・・・、を含む他のデータ電極２２には書込みパルスを印加せず電圧０（Ｖ）を印加する例を示す。したがって、時刻ｔｏ０は、最後の書込み放電を発生させるための走査パルスを走査電極ＳＣｎ−１に印加した時刻となる。
【０２６８】
この例では、図示はしないが、次のフィールド（例えば、１つのフィールド群で２番目のフィールド）の書込み期間Ｐｗｏ３では、奇数行目の走査電極ＳＣ１、ＳＣ３、ＳＣ５、・・・ＳＣｎ−１に走査パルスを印加し、偶数行目の走査電極ＳＣ２、ＳＣ４、ＳＣ６、・・・ＳＣｎには走査パルスを印加せず電圧Ｖｃを印加するとともに、偶数列目の画素列の青の放電セルに対応するデータ電極Ｄ６、Ｄ１２、Ｄ１８、・・・、に書込みパルスを印加し、奇数列目の画素列の青の放電セルに対応するデータ電極Ｄ３、Ｄ９、Ｄ１５、・・・、を含む他のデータ電極２２には書込みパルスを印加せず電圧０（Ｖ）を印加する。したがって、時刻ｔｏ０は、最後の書込み放電を発生させるための走査パルスを走査電極ＳＣｎ−１に印加した時刻となる。
【０２６９】
さらに次のフィールド（例えば、１つのフィールド群で３番目のフィールド）の書込み期間Ｐｗｏ３では、偶数行目の走査電極ＳＣ２、ＳＣ４、ＳＣ６、・・・ＳＣｎに走査パルスを印加し、奇数行目の走査電極ＳＣ１、ＳＣ３、ＳＣ５、・・・ＳＣｎ−１には走査パルスを印加せず電圧Ｖｃを印加するとともに、偶数列目の画素列の青の放電セルに対応するデータ電極Ｄ６、Ｄ１２、Ｄ１８、・・・、に書込みパルスを印加し、奇数列目の画素列の青の放電セルに対応するデータ電極Ｄ３、Ｄ９、Ｄ１５、・・・、を含む他のデータ電極２２には書込みパルスを印加せず電圧０（Ｖ）を印加する。したがって、時刻ｔｏ０は、最後の書込み放電を発生させるための走査パルスを走査電極ＳＣｎに印加した時刻となる。
【０２７０】
さらに次のフィールド（例えば、１つのフィールド群で最後のフィールド）の書込み期間Ｐｗｏ３では、偶数行目の走査電極ＳＣ２、ＳＣ４、ＳＣ６、・・・ＳＣｎに走査パルスを印加し、奇数行目の走査電極ＳＣ１、ＳＣ３、ＳＣ５、・・・ＳＣｎ−１には走査パルスを印加せず電圧Ｖｃを印加するとともに、奇数列目の画素列の青の放電セルに対応するデータ電極Ｄ３、Ｄ９、Ｄ１５、・・・、に書込みパルスを印加し、偶数列目の画素列の青の放電セルに対応するデータ電極Ｄ６、Ｄ１２、Ｄ１８、・・・、を含む他のデータ電極２２には書込みパルスを印加せず電圧０（Ｖ）を印加する。したがって、時刻ｔｏ０は、最後の書込み放電を発生させるための走査パルスを走査電極ＳＣｎに印加した時刻となる。
【０２７１】
図１５に示す同期検出期間Ｐｏは、実施の形態１に示した同期検出期間Ｐｏと同様の構成、動作であるので詳細な説明は省略するが、同期検出期間Ｐｏに同期検出放電が発生する放電セルの概略を図１７に示す。
【０２７２】
図１７は、本発明の実施の形態３におけるＮ＝２、Ｍ＝２のときに同期検出期間Ｐｏに同期検出放電が発生する放電セルを概略的に示す図である。図１７では、同期検出放電が発生する放電セルを白で表し、同期検出放電が発生しない放電セルを黒で表す。また、図１７（ａ）にはフィールド群の最初のフィールド（例えば、フィールドＦｊ−４、Ｆｊ、Ｆｊ＋４、等）の同期検出サブフィールドＳＦｏで同期検出放電が発生する放電セルを示し、図１７（ｂ）にはフィールド群の２番目のフィールド（例えば、フィールドＦｊ−３、Ｆｊ＋１、Ｆｊ＋５、等）の同期検出サブフィールドＳＦｏで同期検出放電が発生する放電セルを示し、図１７（ｃ）にはフィールド群の３番目のフィールド（例えば、フィールドＦｊ−２、Ｆｊ＋２、Ｆｊ＋６、等）の同期検出サブフィールドＳＦｏで同期検出放電が発生する放電セルを示し、図１７（ｄ）にはフィールド群の最後のフィールド（例えば、フィールドＦｊ−５、Ｆｊ−１、Ｆｊ＋３、等）の同期検出サブフィールドＳＦｏで同期検出放電が発生する放電セルを示す。
【０２７３】
同期検出期間Ｐｏでは、書込み期間Ｐｗｏ３に書込み放電が発生した放電セルだけに同期検出放電が発生する。したがって、図１６に示した例では、フィールド群の最初のフィールドの同期検出サブフィールドＳＦｏでは、図１７（ａ）に示すように、奇数行目でかつ奇数列目の画素の所定の色（例えば、青）の放電セルに同期検出放電が発生する。フィールド群の２番目のフィールドの同期検出サブフィールドＳＦｏでは、図１７（ｂ）に示すように、奇数行目でかつ偶数列目の画素の所定の色（例えば、青）の放電セルに同期検出放電が発生する。フィールド群の３番目のフィールドの同期検出サブフィールドＳＦｏでは、図１７（ｃ）に示すように、偶数行目でかつ偶数列目の画素の所定の色（例えば、青）の放電セルに同期検出放電が発生する。フィールド群の最後のフィールドの同期検出サブフィールドＳＦｏでは、図１７（ｄ）に示すように、偶数行目でかつ奇数列目の画素の所定の色（例えば、青）の放電セルに同期検出放電が発生する。
【０２７４】
このように、Ｎ＝２、Ｍ＝２のときには、図１７に示すように、１つの走査電極群を構成する２本の走査電極１２と、１つの画素列群を構成する２本の画素列とが交差する領域に形成された４個の画素の特定の色（例えば、青）の放電セルのそれぞれに、１フィールド毎に順番に同期検出放電が発生する。
【０２７５】
これらの動作は、１つの走査電極群を構成するＮ本の走査電極１２と、１つの画素列群を構成するＭ本の画素列とが交差する領域に形成されたＮ×Ｍ個の画素の特定の色を発光する放電セルのそれぞれが、フィールド群を構成するＮ×Ｍ個のフィールドにおいて、１フィールド毎に順番に同期検出放電を発生する、と言い換えることができる。
【０２７６】
さらには、これらの動作は、互いに隣接する複数の走査電極１２と、互いに隣接する複数のデータ電極２２とが交差する領域に含まれる所定の色（例えば、青）を発光する複数の放電セルは、同期検出サブフィールドＳＦｏが発生する毎に順に同期検出放電を発生する、と言い換えることもできる。
【０２７７】
そして、Ｎ＝２、Ｍ＝２のときには、同期検出期間Ｐｏに同期検出放電が発生する放電セルの数は、全体の放電セルの１／１２（全ての青の放電セルの１／４）となり、同期検出放電にともなって生じる発光の輝度を、全放電セルに同期検出放電が発生する従来の構成と比較して、約１／１２に低減することができる。
【０２７８】
これは、本実施の形態では、同期検出期間Ｐｏに同期検出放電が発生する放電セルの数を全体の放電セルの１／（３×Ｎ×Ｍ）（所定の色の全ての放電セルの１／（Ｎ×Ｍ））とし、同期検出放電にともなって生じる発光の輝度を、全放電セルに同期検出放電が発生する従来の構成と比較して、約１／（３×Ｎ×Ｍ）に低減することができる、と言い換えることができる。
【０２７９】
こうして、本実施の形態では、同期検出放電にともなって生じる発光の輝度を、実施の形態２に示した同期検出サブフィールドＳＦｏで生じる発光よりも、さらに低下させることができる。
【０２８０】
図１５に示すｙ座標検出サブフィールドＳＦｙおよびｘ座標検出サブフィールドＳＦｘは、実施の形態１に示したｙ座標検出サブフィールドＳＦｙおよびｘ座標検出サブフィールドＳＦｘと同様の構成、動作であるので説明を省略する。
【０２８１】
以上のように、本実施の形態では、同期検出サブフィールドＳＦｏの書込み期間Ｐｗｏ３において、あらかじめ定められた所定の色（例えば、青）の蛍光体層を有する放電セルであってフィールド毎に定められた特定の放電セルのデータ電極２２だけに書込みパルスを印加し、フィールド毎に定められた特定の走査電極１２だけに走査パルスを印加する。これにより、同期検出期間Ｐｏに同期検出放電が発生する放電セルの数を、全放電セルの１／（３×Ｎ×Ｍ）とし、全放電セルに同期検出放電が発生する従来技術と比較して、同期検出放電にともなって生じる発光の輝度を約１／（３×Ｎ×Ｍ）に低減することができる。したがって、黒の輝度を低減し、パネル１０のコントラストを向上することができる。
【０２８２】
なお、上述の「Ｎ」、「Ｍ」は何ら「２」限定されるものではなく、他の数値であってもよい。
【０２８３】
なお、本実施の形態では所定の色を「青」としたが、所定の色は「赤」あるいは「緑」であってもよい。
【０２８４】
なお、本実施の形態では１フィールドに１組の座標検出サブフィールドが発生する構成を説明したが、座標検出サブフィールドは複数フィールドに１組であってもよい。その場合、Ｎ×Ｍ個の画素の特定の色を発光する放電セルのそれぞれは、同期検出サブフィールドＳＦｏが発生する毎に順番に同期検出放電を発生するものとする。
【０２８５】
なお、書込み期間Ｐｗ２または書込み期間Ｐｗ３において走査パルスが走査電極１２に印加される順番、または書込みパルスがデータ電極２２に印加される順番は何ら上述した順番に限定されない。走査パルスまたは書込みパルスを印加する順番は、上述した規則の範囲内で自由に設定することができる。
【０２８６】
なお、本実施の形態において、各座標検出サブフィールドの発生順は、何ら上述した発生順に限定されない。例えば、先にｘ座標検出用サブフィールドを発生し、次にｙ座標検出用サブフィールドを発生してもよい。
【０２８７】
なお、本実施の形態では、描画装置を画像表示装置と独立に備えた構成を示したが、この構成の一例としては、例えば、画像表示装置に接続したコンピュータに描画装置に相当する機能を持たせ、そのコンピュータを用いて描画信号を作成する構成等がある。しかし、例えば、描画装置を単独の機器として設けてもよく、あるいは描画装置を画像表示装置に備える構成であってもよい。
【０２８８】
なお、本発明における実施の形態に示した各回路ブロックは、実施の形態に示した各動作を行う電気回路として構成されてもよく、あるいは、実施の形態に示した各動作と実質的に同じ動作をするようにプログラミングされたマイクロコンピュータ等を用いて構成されてもよい。
【０２８９】
なお、本発明の実施の形態において示した具体的な数値は、単に実施の形態における一例を示したものに過ぎず、本発明はこれらの数値に何ら限定されるものではない。各数値は電子ペン充電システムの仕様等にあわせて最適な値に設定することが望ましい。
【産業上の利用可能性】
【０２９０】
本開示は、座標検出のための発光を、コントラストの低下を抑制しつつ発生させることができるので、画像表示装置、画像表示装置の駆動方法、および画像表示システムとして有用である。
【符号の説明】
【０２９１】
１０    パネル
１１    前面基板
１２    走査電極
１３    維持電極
１４    表示電極対
１５，２３    誘電体層
１６    保護層
２１    背面基板
２２    データ電極
２４    隔壁
２５，２５Ｒ，２５Ｇ，２５Ｂ    蛍光体層
３０    画像表示装置
３１    画像信号処理回路
３２    データ電極駆動回路
３３    走査電極駆動回路
３４    維持電極駆動回路
３５    タイミング発生回路
４０    描画装置
４２    受信部
４６    描画部
４７    画像メモリ
５０    電子ペン
５１，８１    電力回収回路
５２，５４    受光素子
５３    接触スイッチ
５５，８２    維持パルス発生回路
５６    同期検出部
５７    座標算出部
５８    送信部
６０    傾斜波形電圧発生回路
６１，６２，６３    ミラー積分回路
７０    走査パルス発生回路
８０    電子ペン用アタッチメント
８３    手動スイッチ
８４    集光レンズ
８５    一定電圧発生回路
８６    アタッチメント検出スイッチ
１００    画像表示システム
１０１    カーソル
Ｌｙ    第１の発光線
Ｌｘ    第２の発光線
ＳＦ１〜ＳＦ８    画像表示サブフィールド
ＳＦｏ    同期検出サブフィールド
ＳＦｙ    ｙ座標検出サブフィールド
ＳＦｘ    ｘ座標検出サブフィールド
【図１】
2014203061.tif 000003
【図２】
2014203061.tif 000004
【図３】
2014203061.tif 000005
【図４】
2014203061.tif 000006
【図５】
2014203061.tif 000007
【図６】
2014203061.tif 000008
【図７】
2014203061.tif 000009
【図８】
2014203061.tif 000010
【図９】
2014203061.tif 000011
【図１０】
2014203061.tif 000012
【図１１】
2014203061.tif 000013
【図１２】
2014203061.tif 000014
【図１３】
2014203061.tif 000015
【図１４】
2014203061.tif 000016
【図１５】
2014203061.tif 000017
【図１６】
2014203061.tif 000018
【図１７】
2014203061.tif 000019